(57)【要約】ミリメートル波（ｍｍＷ）システムのためのマルチチャネル（ＭＣ）セットアップおよびアクセスならびに波形設計のためのメカニズムを、使用できる。基本サービスセット（ＢＳＳ）の一部であるアクセスポイント（ＡＰ）は、ＢＳＳ内の１つまたは複数の局（ＳＴＡ）にマルチチャネル（ＭＣ）アクセスを提供できる。ＡＰは、オーバラッピング基本サービスセット（ＯＢＳＳ）と関連付けられた、他のアクセスポイント／パーソナル基本サービスセット（ＰＢＳＳ）制御ポイント（ＡＰ／ＰＣＰ）によって送信された、ビーコンフレームについて監視できる。監視されるビーコンフレームは、ＯＢＳＳについてのサービス期間（ＳＰ）スケジューリング情報を含むことができる。ＡＰは、ＯＢＳＳについてのＳＰスケジューリング情報を考慮して、ビーコン間隔内において使用される少なくとも１つのＳＰおよび／またはコンテンションベースアクセス期間（ＣＢＡＰ）のアロケーションを生成できる。ＡＰは、ＳＰ／ＣＢＡＰアロケーションを示すビーコンをＳＴＡに送信できる。他のメカニズムは、多数のＳＴＡへの、重なり合わない波形を用いた多数のシングルキャリア（ＳＣ）波形の同時送信を含むことができる。
2019526989.tif 000002
【特許請求の範囲】
【請求項１】
基本サービスセット（ＢＳＳ）の一部であり、前記ＢＳＳ内の少なくとも１つの無線送受信ユニット（ＷＴＲＵ）へのマルチチャネル（ＭＣ）アクセスを提供するように構成された、アクセスポイント（ＡＰ）であって、
少なくとも１つのオーバラッピング基本サービスセット（ＯＢＳＳ）と関連付けられた、少なくとも１つの他のアクセスポイント／パーソナル基本サービスセット（ＰＢＳＳ）制御ポイント（ＡＰ／ＰＣＰ）によって送信された、ビーコンフレームまたはアナウンスメントフレームについて監視するように構成された、受信機であって、前記監視されるビーコンフレームまたはアナウンスメントフレームは、少なくとも前記ＯＢＳＳについてのサービス期間（ＳＰ）スケジューリング情報を含む、受信機と、
ビーコン間隔内において使用される、少なくとも２つのチャネル上において、少なくとも１つのＳＰまたはコンテンションベースアクセス期間（ＣＢＡＰ）のアロケーションを生成するように構成された、プロセッサであって、前記少なくとも１つのＳＰまたはＣＢＡＰの前記アロケーションは、少なくとも部分的に、前記ＯＢＳＳについての前記ＳＰスケジューリング情報に基づく、プロセッサと、
前記少なくとも１つのＷＴＲＵにビーコンフレームを送信するように構成された、送信機であって、前記ビーコンフレームは、前記少なくとも１つのＳＰまたはＣＢＡＰの前記アロケーションを含む、送信機と
を備えたＡＰ。
【請求項２】
前記ＯＢＳＳについての前記ＳＰスケジューリング情報が、第１のチャネルは、前記ＯＢＳＳ内における送信によって干渉されないことを示すという条件で、前記少なくとも１つのＳＰまたはＣＢＡＰの前記アロケーションは、前記第１のチャネルを含む請求項１に記載のＡＰ。
【請求項３】
前記ＯＢＳＳについての前記ＳＰスケジューリング情報が、第１のチャネルは、少なくとも１つの時間ブロックにおいて、前記ＯＢＳＳ内における送信によって干渉されることを示すという条件で、前記少なくとも１つのＳＰまたはＣＢＡＰの前記アロケーションは、前記少なくとも１つの時間ブロックにおいて、前記第１のチャネルを含まない請求項１に記載のＡＰ。
【請求項４】
前記ＯＢＳＳについての前記ＳＰスケジューリング情報が、第１のチャネルは、少なくとも１つの時間ブロックにおいて、前記ＯＢＳＳ内における送信のために使用されていることを示すという条件で、前記少なくとも１つのＳＰまたはＣＢＡＰの前記アロケーションは、前記第１のチャネルと、前記第１のチャネルが前記少なくとも１つの時間ブロックにおいて前記ＯＢＳＳ内において使用されている旨の表示とを含む請求項１に記載のＡＰ。
【請求項５】
前記少なくとも１つのＳＰまたはＣＢＡＰの前記アロケーションは、以下のうちの、すなわち、前記アロケーションを切り詰めることができるかどうかを示すための切り詰めインジケータフィールド、前記アロケーションが拡大可能かどうかを示すための拡大可能インジケータフィールド、または前記アロケーションが動的かどうかを示すためのインジケータフィールドのうちの少なくとも１つをさらに含む請求項１に記載のＡＰ。
【請求項６】
前記プロセッサは、少なくとも１つの共通の特徴を有する複数のＳＰまたはＣＢＡＰを第１のアロケーショングループ期間（ＡＧＰ）にグループ化するようにさらに構成され、前記少なくとも１つのＳＰまたはＣＢＡＰの前記アロケーションは、前記第１のＡＧＰを含む請求項１に記載のＡＰ。
【請求項７】
前記少なくとも１つの共通の特徴は、共通のチャネルボンディングおよびチャネルアグリゲーション（ＣＢ／ＣＡ）特性を含む請求項６に記載のＡＰ。
【請求項８】
前記少なくとも１つのＳＰまたはＣＢＡＰの前記アロケーションは、前記第１のＡＧＰの前記少なくとも１つの共通の特徴を示す共通情報部を含む請求項６に記載のＡＰ。
【請求項９】
前記共通情報部は、以下のうちの、すなわち、チャネルボンディング／チャネルアグリゲーション（ＣＢ／ＣＡ）情報、チャネルアロケーション情報、多入力多出力（ＭＩＭＯ）情報、空間共用情報、およびビームフォーミングトレーニング情報のうちの少なくとも１つをさらに示す請求項８に記載のＡＰ。
【請求項１０】
前記少なくとも１つのＳＰまたはＣＢＡＰの前記アロケーションは、前記複数のＳＰまたはＣＢＡＰのうちの特定のＳＰまたはＣＢＡＰの少なくとも１つの特定の特徴を示す個別情報部を含む請求項６に記載のＡＰ。
【請求項１１】
基本サービスセット（ＢＳＳ）の一部であるアクセスポイント（ＡＰ）によって、前記ＢＳＳ内の少なくとも１つの無線送受信ユニット（ＷＴＲＵ）へのマルチチャネル（ＭＣ）アクセスを提供するために実行される方法であって、
少なくとも１つのオーバラッピング基本サービスセット（ＯＢＳＳ）と関連付けられた、少なくとも１つの他のアクセスポイント／パーソナル基本サービスセット（ＰＢＳＳ）制御ポイント（ＡＰ／ＰＣＰ）によって送信された、ビーコンフレームまたはアナウンスメントフレームについて監視するステップであって、前記監視されるビーコンフレームまたはアナウンスメントフレームは、少なくとも前記ＯＢＳＳについてのサービス期間（ＳＰ）スケジューリング情報を含む、ステップと、
ビーコン間隔内において使用される、少なくとも２つのチャネル上において、少なくとも１つのＳＰまたはコンテンションベースアクセス期間（ＣＢＡＰ）のアロケーションを生成するステップであって、前記少なくとも１つのＳＰまたはＣＢＡＰの前記アロケーションは、少なくとも部分的に、前記ＯＢＳＳについての前記ＳＰスケジューリング情報に基づく、ステップと、
前記少なくとも１つのＷＴＲＵにビーコンフレームを送信するステップであって、前記ビーコンフレームは、前記少なくとも１つのＳＰまたはＣＢＡＰの前記アロケーションを含む、ステップと
を備える方法。
【請求項１２】
前記ＯＢＳＳについての前記ＳＰスケジューリング情報が、第１のチャネルは、前記ＯＢＳＳ内における送信によって干渉されないことを示すという条件で、前記少なくとも１つのＳＰまたはＣＢＡＰの前記アロケーションは、前記第１のチャネルを含む請求項１１に記載の方法。
【請求項１３】
前記ＯＢＳＳについての前記ＳＰスケジューリング情報が、第１のチャネルは、少なくとも１つの時間ブロックにおいて、前記ＯＢＳＳ内における送信によって干渉されることを示すという条件で、前記少なくとも１つのＳＰまたはＣＢＡＰの前記アロケーションは、前記少なくとも１つの時間ブロックにおいて、前記第１のチャネルを含まない請求項１１に記載の方法。
【請求項１４】
前記ＯＢＳＳについての前記ＳＰスケジューリング情報が、第１のチャネルは、少なくとも１つの時間ブロックにおいて、前記ＯＢＳＳ内における送信のために使用されていることを示すという条件で、前記少なくとも１つのＳＰまたはＣＢＡＰの前記アロケーションは、前記第１のチャネルと、前記第１のチャネルが前記少なくとも１つの時間ブロックにおいて前記ＯＢＳＳ内において使用されている旨の表示とを含む請求項１１に記載の方法。
【請求項１５】
前記少なくとも１つのＳＰまたはＣＢＡＰの前記アロケーションは、以下のうちの、すなわち、前記アロケーションを切り詰めることができるかどうかを示すための切り詰めインジケータフィールド、前記アロケーションが拡大可能かどうかを示すための拡大可能インジケータフィールド、または前記アロケーションが動的かどうかを示すためのインジケータフィールドのうちの少なくとも１つをさらに含む請求項１１に記載の方法。
【請求項１６】
少なくとも１つの共通の特徴を有する複数のＳＰまたはＣＢＡＰを第１のアロケーショングループ期間（ＡＧＰ）にグループ化するステップであって、前記少なくとも１つのＳＰまたはＣＢＡＰの前記アロケーションは、前記第１のＡＧＰを含む、ステップ
をさらに備える請求項１１に記載の方法。
【請求項１７】
前記少なくとも１つの共通の特徴は、共通のチャネルボンディングおよびチャネルアグリゲーション（ＣＢ／ＣＡ）特性を含む請求項１６に記載の方法。
【請求項１８】
前記少なくとも１つのＳＰまたはＣＢＡＰの前記アロケーションは、前記第１のＡＧＰの前記少なくとも１つの共通の特徴を示す共通情報部を含む請求項１６に記載の方法。
【請求項１９】
前記共通情報部は、以下のうちの、すなわち、チャネルボンディング／チャネルアグリゲーション（ＣＢ／ＣＡ）情報、チャネルアロケーション情報、多入力多出力（ＭＩＭＯ）情報、空間共用情報、およびビームフォーミングトレーニング情報のうちの少なくとも１つをさらに示す請求項１８に記載の方法。
【請求項２０】
前記少なくとも１つのＳＰまたはＣＢＡＰの前記アロケーションは、前記複数のＳＰまたはＣＢＡＰのうちの特定のＳＰまたはＣＢＡＰの少なくとも１つの特定の特徴を示す個別情報部を含む請求項１６に記載の方法。
【発明の詳細な説明】
【技術分野】
【０００１】
本発明は、ミリメートル波システムに関する。
【背景技術】
【０００２】
本出願は、その内容が参照によって本明細書に組み込まれる、２０１６年９月８日に出願された米国仮出願第６２／３８４９９４号の利益を主張する。
【発明の概要】
【発明が解決しようとする課題】
【０００３】
ミリメートル波（ｍｍＷ）システムのためのマルチチャネル（ＭＣ）セットアップおよびアクセスならびに波形設計のためのメカニズムを、提供する。
【課題を解決するための手段】
【０００４】
本発明は、ミリメートル波（ｍｍＷ）システムのために、マルチチャネル（ＭＣ）セットアップおよびアクセスならびに波形設計のためのメカニズムを使用することができる。基本サービスセット（ＢＳＳ）の一部であるアクセスポイント（ＡＰ）は、ＢＳＳ内の１つまたは複数の局（ＳＴＡ）へのマルチチャネル（ＭＣ）アクセスを提供することができる。ＡＰは、オーバラッピング基本サービスセット（ＯＢＳＳ）と関連付けられた、他のアクセスポイント／パーソナル基本サービスセット（ＰＢＳＳ）制御ポイント（ＡＰ／ＰＣＰ）によって送信された、ビーコンフレームについて監視する（monitor）ことができる。監視されるビーコンフレームは、ＯＢＳＳについてのサービス期間（ＳＰ：Service Period）スケジューリング情報を含むことができる。ＡＰは、ＯＢＳＳについてのＳＰスケジューリング情報を考慮して、ビーコン間隔内において使用される少なくとも１つのＳＰおよび／またはコンテンションベースアクセス期間（ＣＢＡＰ）チャネルのアロケーションを生成することができる。ＡＰは、ＳＰ／ＣＢＡＰアロケーションを示すビーコンフレームを、ＳＴＡに送信することができる。他のメカニズムは、波形が重なり合わない多数のシングルキャリア（ＳＣ）波形の多数のＳＴＡへの同時送信を含むことができる。
より詳細な理解は、添付の図面を併用する、例として与えられる、以下の説明から得ることができる。
【図面の簡単な説明】
【０００５】
【図１Ａ】１つまたは複数の開示される実施形態を実施することができる、例示的な通信システムのシステム図である。
【図１Ｂ】実施形態に従った、図１Ａに示された通信システム内において使用することができる、例示的無線送受信ユニット（ＷＴＲＵ）のシステム図である。
【図１Ｃ】実施形態に従った、図１Ａに示された通信システム内で使用できる、例示的無線アクセスネットワークおよび例示的コアネットワークを示すシステム図である。
【図１Ｄ】実施形態に従った、図１Ａに示された通信システム内において使用できる、さらなる例示的なＲＡＮおよびさらなる例示的なＣＮを示すシステム図である。
【図２】例示的な指向性マルチギガビット（ＤＭＧ）物理レイヤ収束プロトコル（ＰＬＣＰ）プロトコルデータユニット（ＰＰＤＵ）パケットを示す図である。
【図３】８０２．１１ａｄに従った、ＤＭＧチャネルアクセス方式の例示的なビーコン間隔を示す図である。
【図４】例示的なチャネライゼーション方法を示す図である。
【図５】例示的な強化された指向性マルチギガビット（ＥＤＭＧ）プリアンブルフォーマットを示す図である。
【図６】ＥＤＭＧプリアンブルの例示的マルチストリーム送信方式を示す図である。
【図７】チャネルボンディングを用いる例示的ＥＤＭＧショートトレーニングフィールド（ＳＴＦ）フィールドを示す図である。
【図８】２つのＳＴＡへの送信のために、ＡＰが２つのシングルキャリア（ＳＣ）波形を合成する、例示的ＢＳＳのシステム図である。
【図９】２つのＳＴＡがそれらのＳＣ波形を隣接チャネル上で送信するアップリンク（ＵＬ）における非オーバラッピング構造を示す例示的ＢＳＳのシステム図である。
【図１０】窓化操作および窓化解除操作のいくつかの詳細を示す、例示的ＢＳＳのシステム図である。
【図１１】ビーコン間隔内で２つのチャネル上でＣＢ／ＣＡを用いる、例示的マルチチャネルアクセス、送信手順のメッセージング図である。
【図１２】ビーコン間隔の間に、多数のアロケーショングループ期間（ＡＧＰ）を使用する、例示的なマルチチャネルアクセスおよび送信手順のメッセージング図である。
【図１３】マルチチャネルアクセスおよび送信のためにＡＧＰを使用するグループアロケーションのための例示的な階層的シグナリング要素を示す図である。
【図１４】マルチチャネルアクセス、送信のためＡＧＰを使用するグループアロケーションの階層的シグナリング要素内に含む例示的アロケーション情報フィールドを示す図である。
【図１５】マルチチャネル情報を含む、例示的静的アロケーションシグナリング要素を示す図である。
【図１６】マルチチャネルマルチユーザ関連情報を搬送する、例示的制御フレームを示す図である。
【図１７】マルチチャネル（ＭＣ）セットアップフレームを使用するＭＣ送信のための例示的チャネルアクセス手順のシグナリング図である。
【図１８】ＡＰ／ＰＣＰによって実行される、ＰＳ／ＣＢＡＰをスケジュールするための例示的マルチチャネルスケジューリング手順のフロー図である。
【発明を実施するための形態】
【０００６】
図１Ａは、１つまたは複数の開示される実施形態を実施することができる、例示的な通信システム１００を示す図である。通信システム１００は、音声、データ、ビデオ、メッセージング、放送などのコンテンツを多数の無線ユーザに提供する、多元接続システムであることができる。通信システム１００は、多数の無線ユーザが、無線帯域幅を含むシステムリソースの共用を通して、そのようなコンテンツにアクセスすることを可能にすることができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、およびシングルキャリアＦＤＭＡ（ＳＣ−ＦＤＭＡ）、ゼロテールユニークワード離散フーリエ変換拡散直交周波数分割多重（ＺＴ−ＵＷ−ＤＦＴ−Ｓ−ＯＦＤＭ）、ユニークワードＯＦＤＭ（ＵＷ−ＯＦＤＭ）、リソースブロックフィルタードＯＦＤＭ、およびフィルタバンクマルチキャリア（ＦＢＭＣ）など、１つまたは複数のチャネルアクセス方法を利用することができる。
【０００７】
図１Ａに示されるように、通信システム１００は、無線送受信ユニット（ＷＴＲＵ）１０２ａ、１０２ｂ、１０２ｃ、１０２ｄ、無線アクセスネットワーク（ＲＡＮ）１０４、コアネットワーク（ＣＮ）１０６、公衆交換電話網（ＰＳＴＮ）１０８、インターネット１１０、および他のネットワーク１１２を含むことができるが、開示される実施形態は、任意の数のＷＴＲＵ、基地局、ネットワーク、および／またはネットワーク要素を企図していることが理解されよう。ＷＴＲＵ１０２ａ、１０２ｂ、１０２ｃ、１０２ｄの各々は、無線環境において動作および／または通信するように構成された、任意のタイプのデバイスであることができる。例として、それらのいずれもが局（ＳＴＡ）と呼ばれることがある、ＷＴＲＵ１０２ａ、１０２ｂ、１０２ｃ、１０２ｄは、無線信号を送信および／または受信するように構成することができ、ユーザ機器（ＵＥ）、移動局、固定または移動加入者ユニット、サブスクリプションベースユニット、ページャ、セルラ電話、パーソナルデジタルアシスタント（ＰＤＡ）、スマートフォン、ラップトップ、ネットブック、パーソナルコンピュータ、無線センサ、ホットスポットまたはＭｉ−Ｆｉデバイス、モノのインターネット（ＩｏＴ）デバイス、ウォッチまたは他のウェアラブル、ヘッドマウンテッドディスプレイ（ＨＭＤ）、乗物、ドローン、医療デバイスおよび用途（例えば、遠隔手術）、工業デバイスおよび用途（例えば、ロボット、および／または工業および／もしくは自動化処理チェーン状況において動作する他の無線デバイス）、家電製品、ならびに商業および／または工業無線ネットワーク上において動作するデバイスなどを含むことができる。ＷＴＲＵ１０２ａ、１０２ｂ、１０２ｃ、１０２ｄのうちのいずれも、交換可能にＵＥと呼ばれることがある。
【０００８】
通信システム１００は、基地局１１４ａおよび／または基地局１１４ｂも含むことができる。基地局１１４ａ、１１４ｂの各々は、ＣＮ１０６、インターネット１１０、および／または他のネットワーク１１２など、１つまたは複数の通信ネットワークへのアクセスを容易にするために、ＷＴＲＵ１０２ａ、１０２ｂ、１０２ｃ、１０２ｄのうちの少なくとも１つと無線でインターフェース接続するように構成された、任意のタイプのデバイスであることができる。例として、基地局１１４ａ、１１４ｂは、基地送受信機局（ＢＴＳ）、ノードＢ（ＮＢ）、ｅノードＢ（ｅＮＢ）、ホームノードＢ（ＨＮＢ）、ホームｅノードＢ（ＨｅＮＢ）、ｇノードＢ（ｇＮＢ）、ニューラジオ（ＮＲ）ノードＢなどの次世代ノードＢ、サイトコントローラ、アクセスポイント（ＡＰ）、パーソナル基本サービスセット（ＰＢＳＳ）制御ポイント（ＰＣＰ）、パーソナル基本サービスセット（ＰＢＳＳ）制御ポイント（ＰＣＰ）／アクセスポイント（ＡＰ）、ＰＣＰまたはＡＰ（ＰＣＰ／ＡＰ）のうちの少なくとも一方である局（ＳＴＡ）、および無線ルータなどとすることができる。基地局１１４ａ、１１４ｂは、各々が単一の要素として示されているが、基地局１１４ａ、１１４ｂは、任意の数の相互接続された基地局および／またはネットワーク要素を含むことができることが理解されよう。
【０００９】
基地局１１４ａは、ＲＡＮ１０４の一部であることができ、ＲＡＮ１０４は、他の基地局、ならびに／または基地局コントローラ（ＢＳＣ）、無線ネットワークコントローラ（ＲＮＣ）、および中継ノードなどのネットワーク要素（図示されず）も含むことができる。基地局１１４ａおよび／または基地局１１４ｂは、セル（図示されず）と呼ばれることがある、１つまたは複数のキャリア周波数上における無線信号を送信および／または受信するように構成することができる。これらの周波数は、免許が必要なスペクトル、免許が不要なスペクトル、または免許が必要なスペクトルと免許が不要なスペクトルの組み合わせの中にあることができる。セルは、相対的に一定であることができる、または時間につれて変化することができる、特定の地理的エリアに対する無線サービスのためのカバレージを提供することができる。セルは、さらにセルセクタに分割することができる。例えば、基地局１１４ａと関連付けられたセルは、３つのセクタに分割することができる。したがって、一実施形態においては、基地局１１４ａは、送受信機を３つ、すなわち、セルのセクタ毎に１つずつ含むことができる。実施形態においては、基地局１１４ａは、多入力多出力（ＭＩＭＯ）技術を利用することができ、セルのセクタ毎に多数の送受信機を利用することができる。例えば、所望の空間方向において信号を送信および／または受信するために、ビームフォーミングを使用することができる。
【００１０】
基地局１１４ａ、１１４ｂは、エアインターフェース１１６上において、ＷＴＲＵ１０２ａ、１０２ｂ、１０２ｃ、１０２ｄのうちの１つまたは複数と通信することができ、エアインターフェース１１６は、任意の適切な無線通信リンク（例えば、無線周波（ＲＦ）、マイクロ波、センチメータ波、マイクロメータ波、赤外線（ＩＲ）、紫外線（ＵＶ）、可視光など）であることができる。エアインターフェース１１６は、任意の適切な無線アクセス技術（ＲＡＴ）を使用して確立することができる。
【００１１】
より具体的には、上で言及されたように、通信システム１００は、多元接続システムであることができ、ＣＤＭＡ、ＴＤＭＡ、ＦＤＭＡ、ＯＦＤＭＡ、およびＳＣ−ＦＤＭＡなど、１つまたは複数のチャネルアクセス方式を利用することができる。例えば、ＲＡＮ１０４内の基地局１１４ａと、ＷＴＲＵ１０２ａ、１０２ｂ、１０２ｃは、広帯域ＣＤＭＡ（ＷＣＤＭＡ）を使用してエアインターフェース１１６を確立することができる、ユニバーサル移動体通信システム（ＵＭＴＳ）地上無線アクセス（ＵＴＲＡ）などの無線技術を実施することができる。ＷＣＤＭＡ（登録商標）は、高速パケットアクセス（ＨＳＰＡ）および／または進化型ＨＳＰＡ（ＨＳＰＡ＋）などの通信プロトコルを含むことができる。ＨＳＰＡは、高速ダウンリンク（ＤＬ）パケットアクセス（ＨＳＤＰＡ）および／または高速アップリンク（ＵＬ）パケットアクセス（ＨＳＵＰＡ）を含むことができる。
【００１２】
実施形態においては、基地局１１４ａと、ＷＴＲＵ１０２ａ、１０２ｂ、１０２ｃは、ロングタームエボリューション（ＬＴＥ）および／またはＬＴＥアドバンスト（ＬＴＥ−Ａ）および／またはＬＴＥアドバンストプロ（ＬＴＥ−Ａ  Ｐｒｏ）を使用してエアインターフェース１１６を確立することができる、進化型ＵＭＴＳ地上無線アクセス（Ｅ−ＵＴＲＡ）などの無線技術を実施することができる。
【００１３】
実施形態においては、基地局１１４ａと、ＷＴＲＵ１０２ａ、１０２ｂ、１０２ｃは、ＮＲを使用してエアインターフェース１１６を確立することができる、ＮＲ無線アクセスなどの無線技術を実施することができる。
【００１４】
実施形態においては、基地局１１４ａと、ＷＴＲＵ１０２ａ、１０２ｂ、１０２ｃは、多数の無線アクセス技術を実施することができる。例えば、基地局１１４ａと、ＷＴＲＵ１０２ａ、１０２ｂ、１０２ｃは、例えばデュアルコネクティビティ（ＤＣ）原理を使用して、ＬＴＥ無線アクセスおよびＮＲ無線アクセスを一緒に実施することができる。したがって、ＷＴＲＵ１０２ａ、１０２ｂ、１０２ｃによって利用されるエアインターフェースは、多数のタイプの無線アクセス技術によって、および／または多数のタイプの基地局（例えば、ｅＮＢおよびｇＮＢ）に／から送られる送信によって特徴付けることができる。
【００１５】
他の実施形態においては、基地局１１４ａと、ＷＴＲＵ１０２ａ、１０２ｂ、１０２ｃは、ＩＥＥＥ８０２．１１（すなわち、ワイヤレスフィデリティ（ＷｉＦｉ））、ＩＥＥＥ８０２．１６（すなわち、マイクロ波アクセス用世界的相互運用性（ＷｉＭＡＸ））、ＣＤＭＡ２０００、ＣＤＭＡ２０００  １Ｘ、ＣＤＭＡ２０００エボリューションデータオンリ／エボリューションデータオプティマイズド（ＥＶ−ＤＯ）、暫定標準２０００（ＩＳ−２０００）、暫定標準９５（ＩＳ−９５）、暫定標準８５６（ＩＳ−８５６）、移動体通信用グローバルシステム（ＧＳＭ）、ＧＳＭ（登録商標）エボリューション用高速データレート（ＥＤＧＥ）、およびＧＳＭ  ＥＤＧＥ（ＧＥＲＡＮ）などの無線技術を実施することができる。
【００１６】
図１Ａの基地局１１４ｂは、例えば、無線ルータ、ホームノードＢ、ホームｅノードＢ、またはアクセスポイントとすることができ、事業所、家庭、乗物、キャンパス、工業施設、（例えば、ドローンによって使用される）空中回廊、および車道などの局所的エリアにおける無線接続性を容易にするための任意の適切なＲＡＴを利用することができる。一実施形態においては、基地局１１４ｂと、ＷＴＲＵ１０２ｃ、１０２ｄは、ＩＥＥＥ８０２．１１などの無線技術を実施して、無線ローカルエリアネットワーク（ＷＬＡＮ）を確立することができる。実施形態においては、基地局１１４ｂと、ＷＴＲＵ１０２ｃ、１０２ｄは、ＩＥＥＥ８０２．１５などの無線技術を実施して、無線パーソナルエリアネットワーク（ＷＰＡＮ）を確立することができる。また別の実施形態においては、基地局１１４ｂと、ＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａ、ＬＴＥ−Ａ  Ｐｒｏ、ＮＲなど）を利用して、ピコセルまたはフェムトセルを確立することができる。図１Ａに示されるように、基地局１１４ｂは、インターネット１１０への直接接続を有することがある。したがって、基地局１１４ｂは、ＣＮ１０６を介してインターネット１１０にアクセスする必要がないことがある。
【００１７】
ＲＡＮ１０４は、ＣＮ１０６と通信することができ、ＣＮ１０６は、音声、データ、アプリケーション、および／またはボイスオーバインターネットプロトコル（ＶｏＩＰ）サービスをＷＴＲＵ１０２ａ、１０２ｂ、１０２ｃ、１０２ｄのうちの１つまたは複数に提供するように構成された、任意のタイプのネットワークとすることができる。データは、異なるスループット要件、待ち時間要件、エラー耐性要件、信頼性要件、データスループット要件、およびモビリティ要件など、様々なサービス品質（ＱｏＳ）要件を有することができる。ＣＮ１０６は、呼制御、請求サービス、モバイルロケーションベースのサービス、プリペイド電話、インターネット接続性、ビデオ配信などを提供することができ、および／またはユーザ認証など、高レベルのセキュリティ機能を実行することができる。図１Ａには示されていないが、ＲＡＮ１０４および／またはＣＮ１０６は、ＲＡＮ１０４と同じＲＡＴまたは異なるＲＡＴを利用する他のＲＡＮと直接的または間接的に通信することができることが理解されよう。例えば、ＮＲ無線技術を利用することができるＲＡＮ１０４に接続するのに加えて、ＣＮ１０６は、ＧＳＭ、ＵＭＴＳ、ＣＤＭＡ  ２０００、ＷｉＭＡＸ、Ｅ−ＵＴＲＡ、またはＷｉＦｉ無線技術を利用する別のＲＡＮ（図示されず）とも通信することができる。
【００１８】
ＣＮ１０６は、ＰＳＴＮ１０８、インターネット１１０、および／または他のネットワーク１１２にアクセスするための、ＷＴＲＵ１０２ａ、１０２ｂ、１０２ｃ、１０２ｄ用のゲートウェイとしての役割も果たすことができる。ＰＳＴＮ１０８は、基本電話サービス（ＰＯＴＳ）を提供する回線交換電話網を含むことができる。インターネット１１０は、ＴＣＰ／ＩＰインターネットプロトコルスイート内の伝送制御プロトコル（ＴＣＰ）、ユーザデータグラムプロトコル（ＵＤＰ）、および／またはインターネットプロトコル（ＩＰ）など、共通の通信プロトコルを使用する、相互接続されたコンピュータネットワークおよびデバイスからなるグローバルシステムを含むことができる。ネットワーク１１２は、他のサービスプロバイダによって所有および／または運営される有線および／または無線通信ネットワークを含むことができる。例えば、ネットワーク１１２は、ＲＡＮ１０４と同じＲＡＴまたは異なるＲＡＴを利用することができる１つまたは複数のＲＡＮに接続された、別のＣＮを含むことができる。
【００１９】
通信システム１００内のＷＴＲＵ１０２ａ、１０２ｂ、１０２ｃ、１０２ｄのいくつかまたはすべては、マルチモード機能を含むことができる（例えば、ＷＴＲＵ１０２ａ、１０２ｂ、１０２ｃ、１０２ｄは、異なる無線リンク上において異なる無線ネットワークと通信するための複数の送受信機を含むことができる）。例えば、図１Ａに示されるＷＴＲＵ１０２ｃは、セルラベースの無線技術を利用することができる基地局１１４ａと通信するように構成すること、およびＩＥＥＥ８０２無線技術を利用することができる基地局１１４ｂと通信するように構成することができる。
【００２０】
図１Ｂは、例示的なＷＴＲＵ１０２を示すシステム図である。図１Ｂに示されるように、ＷＴＲＵ１０２は、とりわけ、プロセッサ１１８と、送受信機１２０と、送信／受信要素１２２と、スピーカ／マイクロフォン１２４と、キーパッド１２６と、ディスプレイ／タッチパッド１２８と、非リムーバブルメモリ１３０と、リムーバブルメモリ１３２と、電源１３４と、全地球測位システム（ＧＰＳ）チップセット１３６と、他の周辺機器１３８とを含むことができる。ＷＴＲＵ１０２は、実施形態との整合性を保ちながら、上記の要素の任意のサブコンビネーションを含むことができることが理解されよう。
【００２１】
プロセッサ１１８は、汎用プロセッサ、専用プロセッサ、従来型プロセッサ、デジタル信号プロセッサ（ＤＳＰ）、複数のマイクロプロセッサ、ＤＳＰコアと連携する１つまたは複数のマイクロプロセッサ、コントローラ、マイクロコントローラ、特定用途向け集積回路（ＡＳＩＣ）、フィールドプログラマブルゲートアレイ（ＦＰＧＡ）、他の任意のタイプの集積回路（ＩＣ）、および状態機械などであることができる。プロセッサ１１８は、信号符号化、データ処理、電力制御、入力／出力処理、および／またはＷＴＲＵ１０２が無線環境において動作することを可能にする他の任意の機能性を実行することができる。プロセッサ１１８は、送受信機１２０に結合することができ、送受信機１２０は、送信／受信要素１２２に結合することができる。図１Ｂは、プロセッサ１１８と送受信機１２０を別個の構成要素として示しているが、プロセッサ１１８と送受信機１２０は、電子パッケージまたはチップ内に一緒に統合することができることが理解されよう。
【００２２】
送信／受信要素１２２は、エアインターフェース１１６上において、基地局（例えば、基地局１１４ａ）に信号を送信し、および／または基地局から信号を受信するように構成することができる。例えば、一実施形態においては、送信／受信要素１２２は、ＲＦ信号を送信および／または受信するように構成されたアンテナであることができる。実施形態においては、送信／受信要素１２２は、例えば、ＩＲ、ＵＶ、または可視光信号を送信および／または受信するように構成された放射器／検出器であることができる。また別の実施形態においては、送信／受信要素１２２は、ＲＦ信号および光信号の両方を送信および／または受信するように構成することができる。送信／受信要素１２２は、無線信号の任意の組み合わせを送信および／または受信するように構成することができることが理解されよう。
【００２３】
図１Ｂにおいては、送信／受信要素１２２は単一の要素として示されているが、ＷＴＲＵ１０２は、任意の数の送信／受信要素１２２を含むことができる。より具体的には、ＷＴＲＵ１０２は、ＭＩＭＯ技術を利用することができる。したがって、一実施形態においては、ＷＴＲＵ１０２は、エアインターフェース１１６上において無線信号を送信および受信するための２つ以上の送信／受信要素１２２（例えば、多数のアンテナ）を含むことができる。
【００２４】
送受信機１２０は、送信／受信要素１２２によって送信されることになる信号を変調し、送信／受信要素１２２によって受信された信号を復調するように構成することができる。上で言及されたように、ＷＴＲＵ１０２は、マルチモード機能を有することができる。したがって、送受信機１２０は、ＷＴＲＵ１０２が、例えば、ＮＲおよびＩＥＥＥ８０２．１１など、多数のＲＡＴを介して通信することを可能にするための、複数の送受信機を含むことができる。
【００２５】
ＷＴＲＵ１０２のプロセッサ１１８は、スピーカ／マイクロフォン１２４、キーパッド１２６、および／またはディスプレイ／タッチパッド１２８（例えば、液晶表示（ＬＣＤ）ディスプレイユニットもしくは有機発光ダイオード（ＯＬＥＤ）ディスプレイユニット）に結合することができ、それらからユーザ入力データを受信することができる。プロセッサ１１８は、スピーカ／マイクロフォン１２４、キーパッド１２６、および／またはディスプレイ／タッチパッド１２８にユーザデータを出力することもできる。加えて、プロセッサ１１８は、非リムーバブルメモリ１３０および／またはリムーバブルメモリ１３２など、任意のタイプの適切なメモリから情報を入手することができ、それらにデータを記憶することができる。非リムーバブルメモリ１３０は、ランダムアクセスメモリ（ＲＡＭ）、リードオンリメモリ（ＲＯＭ）、ハードディスク、または他の任意のタイプのメモリ記憶デバイスを含むことができる。リムーバブルメモリ１３２は、加入者識別モジュール（ＳＩＭ）カード、メモリスティック、およびセキュアデジタル（ＳＤ）メモリカードなどを含むことができる。他の実施形態においては、プロセッサ１１８は、サーバまたはホームコンピュータ（図示されず）上などに配置された、ＷＴＲＵ１０２上に物理的に配置されていないメモリから情報を入手することができ、それらにデータを記憶することができる。
【００２６】
プロセッサ１１８は、電源１３４から電力を受け取ることができ、ＷＴＲＵ１０２内の他の構成要素に電力を分配するように、および／またはそれらへの電力を制御するように構成することができる。電源１３４は、ＷＴＲＵ１０２に給電するための任意の適切なデバイスであることができる。例えば、電源１３４は、１つまたは複数の乾電池（例えば、ニッケル−カドミウム（ＮｉＣｄ）、ニッケル−亜鉛（ＮｉＺｎ）、ニッケル水素（ＮｉＭＨ）、リチウムイオン（Ｌｉ−ｉｏｎ）など）、太陽電池、および燃料電池などを含むことができる。
【００２７】
プロセッサ１１８は、ＧＰＳチップセット１３６に結合することができ、ＧＰＳチップセット１３６は、ＷＴＲＵ１０２の現在ロケーションに関するロケーション情報（例えば、経度および緯度）を提供するように構成することができる。ＧＰＳチップセット１３６からの情報に加えて、またはそれの代わりに、ＷＴＲＵ１０２は、基地局（例えば、基地局１１４ａ、１１４ｂ）からエアインターフェース１１６上においてロケーション情報を受信することができ、および／または２つ以上の近くの基地局から受信している信号のタイミングに基づいて、それのロケーションを決定することができる。ＷＴＲＵ１０２は、実施形態との整合性を保ちながら、任意の適切なロケーション決定方法を用いて、ロケーション情報を獲得することができることが理解されよう。
【００２８】
プロセッサ１１８は、さらに他の周辺機器１３８に結合することができ、他の周辺機器１３８は、追加的な機能（feature）、機能性、および／または有線もしくは無線接続性を提供する、１つまたは複数のソフトウェアモジュールおよび／またはハードウェアモジュールを含むことができる。例えば、周辺機器１３８は、加速度計、ｅコンパス、衛星送受信機、（写真および／またはビデオ用の）デジタルカメラ、ユニバーサルシリアルバス（ＵＳＢ）ポート、バイブレーションデバイス、テレビ送受信機、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、インターネットブラウザ、仮想現実および／または拡張現実（ＶＲ／ＡＲ）デバイス、ならびにアクティビティトラッカなどを含むことができる。周辺機器１３８は、１つまたは複数のセンサを含むことができる。センサは、ジャイロスコープ、加速度計、ホール効果センサ、磁力計、方位センサ、近接センサ、温度センサ、時間センサ、ジオロケーションセンサ、高度計、光センサ、タッチセンサ、気圧計、ジェスチャセンサ、バイオメトリックセンサ、および湿度センサなどのうちの１つまたは複数であることができる。
【００２９】
ＷＴＲＵ１０２は、（例えば、（例えば、送信用の）アップリンクＵＬおよび（例えば、受信用の）ダウンリンクＤＬの両方のための特定のサブフレームと関連付けられた）信号のいくつかまたはすべての送信および受信が、並列および／または同時であることができる、全二重無線を含むことができる。全二重無線は、ハードウェア（例えば、チョーク）を介して、またはプロセッサ（例えば、別個のプロセッサ（図示されず）もしくはプロセッサ１１８）を介する信号処理を介して、自己干渉を低減させ、および／または実質的に除去するために、干渉管理ユニット１３９を含むことができる。実施形態においては、ＷＴＲＵ１０２は、（例えば、（例えば、送信用の）ＵＬまたは（例えば、受信用の）ＤＬのどちらかのための特定のサブフレームと関連付けられた）信号のいくつかまたはすべての送信および受信のための、半二重無線を含むことができる。
【００３０】
図１Ｃは、実施形態に従った、ＲＡＮ１０４およびＣＮ１０６を示すシステム図である。上で言及されたように、ＲＡＮ１０４は、Ｅ−ＵＴＲＡ無線技術を利用して、エアインターフェース１１６上においてＷＴＲＵ１０２ａ、１０２ｂ、１０２ｃと通信することができる。ＲＡＮ１０４は、ＣＮ１０６と通信することもできる。
【００３１】
ＲＡＮ１０４は、ｅノードＢ１６０ａ、１６０ｂ、１６０ｃを含むことができるが、ＲＡＮ１０４は、実施形態との整合性を保ちながら、任意の数のｅノードＢを含むことができることが理解されよう。ｅノードＢ１６０ａ、１６０ｂ、１６０ｃは、各々が、エアインターフェース１１６上においてＷＴＲＵ１０２ａ、１０２ｂ、１０２ｃと通信するための１つまたは複数の送受信機を含むことができる。一実施形態においては、ｅノードＢ１６０ａ、１６０ｂ、１６０ｃは、ＭＩＭＯ技術を実施することができる。したがって、ｅノードＢ１６０ａは、例えば、多数のアンテナを使用して、ＷＴＲＵ１０２ａに無線信号を送信し、および／またはＷＴＲＵ１０２ａから無線信号を受信することができる。
【００３２】
ｅノードＢ１６０ａ、１６０ｂ、１６０ｃの各々は、特定のセル（図示されず）と関連付けることができ、無線リソース管理決定、ハンドオーバ決定、ならびにＵＬおよび／またはＤＬにおけるユーザのスケジューリングなどを処理するように構成することができる。図１Ｃに示されるように、ｅノードＢ１６０ａ、１６０ｂ、１６０ｃは、Ｘ２インターフェース上において互いに通信することができる。
【００３３】
図１Ｃに示されるＣＮ１０６は、モビリティ管理エンティティ（ＭＭＥ）１６２と、サービングゲートウェイ（ＳＧＷ）１６４と、パケットデータネットワーク（ＰＤＮ）ゲートウェイ（ＰＧＷ）１６６とを含むことができる。上記の要素は、ＣＮ１０６の部分として示されているが、これらの要素のうちのいずれも、ＣＮオペレータとは異なるエンティティによって所有および／または運営することができることが理解されよう。
【００３４】
ＭＭＥ１６２は、Ｓ１インターフェースを介して、ＲＡＮ１０４内のｅノードＢ１６０ａ、１６０ｂ、１６０ｃの各々に接続することができ、制御ノードとしての役割を果たすことができる。例えば、ＭＭＥ１６２は、ＷＴＲＵ１０２ａ、１０２ｂ、１０２ｃのユーザの認証、ベアラアクティブ化／非アクティブ化、ならびにＷＴＲＵ１０２ａ、１０２ｂ、１０２ｃの初期接続中における特定のサービングゲートウェイの選択などを担うことができる。ＭＭＥ１６２は、ＲＡＮ１０４と、ＧＳＭおよび／またはＷＣＤＭＡなどの他の無線技術を利用する他のＲＡＮ（図示されず）との間における交換のためのコントロールプレーン機能を提供することができる。
【００３５】
ＳＧＷ１６４は、Ｓ１インターフェースを介して、ＲＡＮ１０４内のｅノードＢ１６０ａ、１６０ｂ、１６０ｃの各々に接続することができる。ＳＧＷ１６４は、一般に、ユーザデータパケットをＷＴＲＵ１０２ａ、１０２ｂ、１０２ｃに／からルーティングおよび転送することができる。ＳＧＷ１６４は、ｅノードＢ間ハンドオーバ中にユーザプレーンをアンカリングすること、ＤＬデータがＷＴＲＵ１０２ａ、１０２ｂ、１０２ｃに利用可能なときにページングをトリガすること、ならびにＷＴＲＵ１０２ａ、１０２ｂ、１０２ｃのコンテキストを管理および記憶することなど、他の機能を実行することができる。
【００３６】
ＳＧＷ１６４は、ＰＧＷ１６６に接続することができ、ＰＧＷ１６６は、インターネット１１０など、パケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にすることができる。
【００３７】
ＣＮ１０６は、他のネットワークとの通信を容易にすることができる。例えば、ＣＮ１０６は、ＰＳＴＮ１０８など、回線交換ネットワークへのアクセスをＷＴＲＵ１０２ａ、１０２ｂ、１０２ｃに提供して、ＷＴＲＵ１０２ａ、１０２ｂ、１０２ｃと従来の固定電話回線通信デバイスとの間の通信を容易にすることができる。例えば、ＣＮ１０６は、ＣＮ１０６とＰＳＴＮ１０８との間のインターフェースとしての役割を果たすＩＰゲートウェイ（例えば、ＩＰマルチメディアサブシステム（ＩＭＳ）サーバ）を含むことができ、またはそれと通信することができる。加えて、ＣＮ１０６は、他のネットワーク１１２へのアクセスをＷＴＲＵ１０２ａ、１０２ｂ、１０２ｃに提供することができ、他のネットワーク１１２は、他のサービスプロバイダによって所有および／または運営される他の有線および／または無線ネットワークを含むことができる。
【００３８】
図１Ａ〜図１Ｄにおいては、ＷＴＲＵは、無線端末として説明されるが、ある代表的な実施形態においては、そのような端末は、通信ネットワークとの有線通信インターフェースを（例えば、一時的または永続的に）使用することができることが企図されている。
【００３９】
代表的な実施形態においては、他のネットワーク１１２はＷＬＡＮであることができる。
【００４０】
インフラストラクチャ基本サービスセット（ＢＳＳ）モードにあるＷＬＡＮは、ＢＳＳのためのＡＰ（または等価的に、ＰＣＰもしくはＡＰのうちの少なくとも一方である局（ＳＴＡ）であることができる、ＡＰ／ＰＣＰ）と、ＡＰと関連付けられた１つまたは複数の局（ＳＴＡ）とを有することができる。ＡＰは、トラフィックをＢＳＳ内および／またはＢＳＳ外に搬送する、ディストリビューションシステム（ＤＳ）または別のタイプの有線／無線ネットワークへのアクセスまたはインターフェースを有することができる。ＢＳＳ外部から発信されたＳＴＡへのトラフィックは、ＡＰを通って到着することができ、ＳＴＡに配送することができる。ＳＴＡからＢＳＳ外部の送信先に発信されたトラフィックは、ＡＰに送信して、それぞれの送信先に配送することができる。ＢＳＳ内のＳＴＡ間のトラフィックは、ＡＰを通って送信することができ、例えば、送信元ＳＴＡは、トラフィックをＡＰに送信することができ、ＡＰは、トラフィックを送信先ＳＴＡに配送することができる。ＢＳＳ内のＳＴＡ間のトラフィックは、ピアツーピアトラフィックと見なすことができ、および／またはピアツーピアトラフィックと呼ばれることがある。ピアツーピアトラフィックは、直接リンクセットアップ（ＤＬＳ）を用いて、送信元ＳＴＡと送信先ＳＴＡとの間で（例えば、直接的に）送信することができる。ある代表的な実施形態においては、ＤＬＳは、８０２．１１ｅ  ＤＬＳまたは８０２．１１ｚトンネルＤＬＳ（ＴＤＬＳ）を使用することができる。独立ＢＳＳ（ＩＢＳＳ）モードを使用するＷＬＡＮは、ＡＰを有さないことがあり、ＩＢＳＳ内の、またはＩＢＳＳを使用するＳＴＡ（例えば、ＳＴＡのすべて）は、互いに直接的に通信することができる。ＩＢＳＳモードの通信は、本明細書においては、ときに「アドホック」モードの通信と呼ばれることがある。
【００４１】
８０２．１１ａｃインフラストラクチャ動作モードまたは類似の動作モードを使用するとき、ＡＰは、プライマリチャネルなどの固定されたチャネル上において、ビーコンを送信することができる。プライマリチャネルは、固定された幅（例えば、２０ＭＨｚ幅帯域幅）、または動的に設定された幅であることができる、プライマリチャネルは、ＢＳＳの動作チャネルであることができ、ＡＰとの接続を確立するために、ＳＴＡによって使用することができる。ある代表的な実施形態においては、例えば、８０２．１１システムにおいては、キャリアセンス多重アクセス／衝突回避（ＣＳＭＡ／ＣＡ）を実施することができる。ＣＳＭＡ／ＣＡの場合、ＡＰを含むＳＴＡ（例えば、あらゆるＳＴＡ）は、プライマリチャネルをセンスすることができる。プライマリチャネルが、特定のＳＴＡによってビジーであるとセンス／検出され、および／または決定された場合、特定のＳＴＡは、バックオフすることができる。与えられたＢＳＳ内においては、任意の与えられた時間に、１つのＳＴＡ（例えば、ただ１つのＳＴＡ）が、送信することができる。
【００４２】
高スループット（ＨＴ）ＳＴＡは、例えば、４０ＭＨｚ幅のチャネルを形成するための、プライマリ２０ＭＨｚチャネルと、隣接するまたは隣接しない２０ＭＨｚチャネルとの組み合わせを介して、通信のために４０ＭＨｚ幅チャネルを使用することができる。
【００４３】
超高スループット（ＶＨＴ）ＳＴＡは、２０ＭＨｚ、４０ＭＨｚ、８０ＭＨｚ、および／または１６０ＭＨｚ幅チャネルをサポートすることができる。４０ＭＨｚおよび／または８０ＭＨｚチャネルは、連続する２０ＭＨｚチャネルを組み合わせることによって形成することができる。１６０ＭＨｚチャネルは、８つの連続する２０ＭＨｚチャネルを組み合わせることによって形成することができ、または２つの非連続な８０ＭＨｚチャネルを組み合わせることによって形成することができ、これは、８０＋８０構成と呼ばれることがある。８０＋８０構成の場合、データは、チャネルエンコーディングの後、データを２つのストリームに分割することができるセグメントパーサを通過させることができる。各ストリームに対して別々に、逆高速フーリエ変換（ＩＦＦＴ）処理、および時間領域処理を実行することができる。ストリームは、２つの８０ＭＨｚチャネル上にマッピングすることができ、データは、送信ＳＴＡによって送信することができる。受信ＳＴＡの受信機においては、８０＋８０構成のための上で説明された動作を逆転することができ、組み合わされたデータは、媒体アクセス制御（ＭＡＣ）に送信することができる。
【００４４】
１ＧＨｚ未満動作モードは、８０２．１１ａｆおよび８０２．１１ａｈによってサポートすることができる。チャネル動作帯域幅およびキャリアは、８０２．１１ｎおよび８０２．１１ａｃにおいて使用されるそれらと比べて、８０２．１１ａｆおよび８０２．１１ａｈにおいては低減させられる。８０２．１１ａｆは、ＴＶホワイトスペース（ＴＶＷＳ）スペクトルにおいて、５ＭＨｚ、１０ＭＨｚ、および２０ＭＨｚ帯域幅をサポートし、８０２．１１ａｈは、非ＴＶＷＳスペクトルを使用して、１ＭＨｚ、２ＭＨｚ、４ＭＨｚ、８ＭＨｚ、および１６ＭＨｚ帯域幅をサポートする。代表的な実施形態によれば、８０２．１１ａｈは、マクロカバレージエリアにおけるメータタイプ制御／マシンタイプコミュニケーション（ＭＴＣ）デバイスなど、ＭＴＣをサポートすることができる。ＭＴＣデバイスは、ある能力を、例えば、ある帯域幅および／または限られた帯域幅のサポート（例えば、それらのサポートだけ）を含む限られた能力を有することができる。ＭＴＣデバイスは、（例えば、非常に長いバッテリ寿命を維持するために）閾値を上回るバッテリ寿命を有するバッテリを含むことができる。
【００４５】
８０２．１１ｎ、８０２．１１ａｃ、８０２．１１ａｆ、および８０２．１１ａｈなど、多数のチャネルおよびチャネル帯域幅をサポートすることができる、ＷＬＡＮシステムは、プライマリチャネルとして指定することができるチャネルを含む。プライマリチャネルは、ＢＳＳ内のすべてのＳＴＡによってサポートされる最大の共通動作帯域幅に等しい帯域幅を有することができる。プライマリチャネルの帯域幅は、ＢＳＳ内において動作するすべてのＳＴＡの中の、最小帯域幅動作モードをサポートするＳＴＡによって設定および／または制限できる。８０２．１１ａｈの例においては、ＢＳＳ内のＡＰおよび他のＳＴＡが、２ＭＨｚ、４ＭＨｚ、８ＭＨｚ、１６ＭＨｚ、および／または他のチャネル帯域幅動作モードをサポートする場合であっても、１ＭＨｚモードをサポートする（例えば、それだけをサポートする）ＳＴＡ（例えば、ＭＴＣタイプデバイス）のために、プライマリチャネルは、１ＭＨｚ幅であることができる。キャリアセンシングおよび／またはネットワークアロケーションベクトル（ＮＡＶ）設定は、プライマリチャネルのステータスに依存することができる。例えば、（１ＭＨｚ動作モードだけをサポートする）ＳＴＡが、ＡＰに送信しているせいで、プライマリチャネルが、ビジーである場合、周波数バンドの大部分が、アイドルにあるとしても、すべての利用可能な周波数バンドが、ビジーと見なされることがある。
【００４６】
米国においては、８０２．１１ａｈによって使用することができる利用可能な周波数バンドは、９０２ＭＨｚから９２８ＭＨｚである。韓国においては、利用可能な周波数バンドは、９１７．５ＭＨｚから９２３．５ＭＨｚである。日本においては、利用可能な周波数バンドは、９１６．５ＭＨｚから９２７．５ＭＨｚである。８０２．１１ａｈのために利用可能な合計帯域幅は、国の規則に応じて、６ＭＨｚから２６ＭＨｚである。
【００４７】
図１Ｄは、実施形態に従った、ＲＡＮ１０４およびＣＮ１０６を示すシステム図である。上で言及されたように、ＲＡＮ１０４は、ＮＲ無線技術を利用して、エアインターフェース１１６上においてＷＴＲＵ１０２ａ、１０２ｂ、１０２ｃと通信することができる。ＲＡＮ１０４は、ＣＮ１０６と通信することもできる。
【００４８】
ＲＡＮ１０４は、ｇＮＢ１８０ａ、１８０ｂ、１８０ｃを含むことができるが、ＲＡＮ１０４は、実施形態との整合性を保ちながら、任意の数のｇＮＢを含むことができることが理解されよう。ｇＮＢ１８０ａ、１８０ｂ、１８０ｃは、各々が、エアインターフェース１１６上においてＷＴＲＵ１０２ａ、１０２ｂ、１０２ｃと通信するための１つまたは複数の送受信機を含むことができる。一実施形態においては、ｇＮＢ１８０ａ、１８０ｂ、１８０ｃは、ＭＩＭＯ技術を実施することができる。例えば、ｇＮＢ１８０ａ、１８０ｂは、ビームフォーミングを利用して、ｇＮＢ１８０ａ、１８０ｂ、１８０ｃに信号を送信し、および／またはｇＮＢ１８０ａ、１８０ｂ、１８０ｃから信号を受信することができる。したがって、ｇＮＢ１８０ａは、例えば、多数のアンテナを使用して、ＷＴＲＵ１０２ａに無線信号を送信し、および／またはＷＴＲＵ１０２ａから無線信号を受信することができる。実施形態においては、ｇＮＢ１８０ａ、１８０ｂ、１８０ｃは、キャリアアグリゲーション技術を実施することができる。例えば、ｇＮＢ１８０ａは、ＷＴＲＵ１０２ａに多数のコンポーネントキャリアを送信することができる（図示されず）。これらのコンポーネントキャリアのサブセットは、免許が不要なスペクトル上にあることができるが、残りのコンポーネントキャリアは、免許が必要なスペクトル上にあることができる。実施形態においては、ｇＮＢ１８０ａ、１８０ｂ、１８０ｃは、多地点協調（ＣｏＭＰ）技術を実施することができる。例えば、ＷＴＲＵ１０２ａは、ｇＮＢ１８０ａおよびｇＮＢ１８０ｂ（ならびに／またはｇＮＢ１８０ｃ）から調整された送信を受信することができる。
【００４９】
ＷＴＲＵ１０２ａ、１０２ｂ、１０２ｃは、スケーラブルなヌメロロジ（ｎｕｍｅｒｏｌｏｇｙ）と関連付けられた送信を使用して、ｇＮＢ１８０ａ、１８０ｂ、１８０ｃと通信することができる。例えば、ＯＦＤＭシンボル間隔、および／またはＯＦＤＭサブキャリア間隔は、異なる送信、異なるセル、および／または無線送信スペクトルの異なる部分によって様々であることができる。ＷＴＲＵ１０２ａ、１０２ｂ、１０２ｃは、（例えば、様々な数のＯＦＤＭシンボルを含む、および／または様々な長さの絶対時間だけ持続する）様々なまたはスケーラブルな長さのサブフレームまたは送信時間間隔（ＴＴＩ）を使用して、ｇＮＢ１８０ａ、１８０ｂ、１８０ｃと通信することができる。
【００５０】
ｇＮＢ１８０ａ、１８０ｂ、１８０ｃは、スタンドアロン構成および／または非スタンドアロン構成で、ＷＴＲＵ１０２ａ、１０２ｂ、１０２ｃと通信するように構成することができる。スタンドアロン構成においては、ＷＴＲＵ１０２ａ、１０２ｂ、１０２ｃは、（例えば、ｅノードＢ１６０ａ、１６０ｂ、１６０ｃなどの）他のＲＡＮにアクセスすることもなしに、ｇＮＢ１８０ａ、１８０ｂ、１８０ｃと通信することができる。スタンドアロン構成においては、ＷＴＲＵ１０２ａ、１０２ｂ、１０２ｃは、ｇＮＢ１８０ａ、１８０ｂ、１８０ｃのうちの１つまたは複数を、モビリティアンカポイントとして利用することができる。スタンドアロン構成においては、ＷＴＲＵ１０２ａ、１０２ｂ、１０２ｃは、免許が不要なバンド内において信号を使用して、ｇＮＢ１８０ａ、１８０ｂ、１８０ｃと通信することができる。非スタンドアロン構成においては、ＷＴＲＵ１０２ａ、１０２ｂ、１０２ｃは、ｅノードＢ１６０ａ、１６０ｂ、１６０ｃなどの別のＲＡＮとも通信し／別のＲＡＮにも接続しながら、ｇＮＢ１８０ａ、１８０ｂ、１８０ｃと通信し／ｇＮＢ１８０ａ、１８０ｂ、１８０ｃに接続することができる。例えば、ＷＴＲＵ１０２ａ、１０２ｂ、１０２ｃは、ＤＣ原理を実施して、１つまたは複数のｇＮＢ１８０ａ、１８０ｂ、１８０ｃ、および１つまたは複数のｅノードＢ１６０ａ、１６０ｂ、１６０ｃと実質的に同時に通信することができる。非スタンドアロン構成においては、ｅノードＢ１６０ａ、１６０ｂ、１６０ｃは、ＷＴＲＵ１０２ａ、１０２ｂ、１０２ｃのためのモビリティアンカとしての役割を果たすことができ、ｇＮＢ１８０ａ、１８０ｂ、１８０ｃは、ＷＴＲＵ１０２ａ、１０２ｂ、１０２ｃにサービスするための追加のカバレージおよび／またはスループットを提供することができる。
【００５１】
ｇＮＢ１８０ａ、１８０ｂ、１８０ｃの各々は、特定のセル（図示されず）と関連付けることができ、無線リソース管理決定、ハンドオーバ決定、ＵＬおよび／またはＤＬにおけるユーザのスケジューリング、ネットワークスライシングのサポート、ＤＣ、ＮＲとＥ−ＵＴＲＡとの間のインターワーキング、ユーザプレーンデータのユーザプレーン機能（ＵＰＦ）１８４ａ、１８４ｂへのルーティング、ならびにコントロールプレーン情報のアクセスおよびモビリティ管理機能（ＡＭＦ）１８２ａ、１８２ｂへのルーティングなどを処理するように構成することができる。図１Ｄに示されるように、ｇＮＢ１８０ａ、１８０ｂ、１８０ｃは、Ｘｎインターフェース上において互いに通信することができる。
【００５２】
図１Ｄに示されるＣＮ１０６は、少なくとも１つのＡＭＦ１８２ａ、１８２ｂと、少なくとも１つのＵＰＦ１８４ａ、１８４ｂと、少なくとも１つのセッション管理機能（ＳＭＦ）１８３ａ、１８３ｂと、おそらくは、データネットワーク（ＤＮ）１８５ａ、１８５ｂとを含むことができる。上記の要素は、ＣＮ１０６の部分として示されているが、これらの要素のうちのいずれも、ＣＮオペレータとは異なるエンティティによって所有および／または運営することができることが理解されよう。
【００５３】
ＡＭＦ１８２ａ、１８２ｂは、Ｎ２インターフェースを介して、ＲＡＮ１０４内のｇＮＢ１８０ａ、１８０ｂ、１８０ｃのうちの１つまたは複数に接続することができ、制御ノードとしての役割を果たすことができる。例えば、ＡＭＦ１８２ａ、１８２ｂは、ＷＴＲＵ１０２ａ、１０２ｂ、１０２ｃのユーザを認証すること、ネットワークスライシングのサポート（例えば、異なる要件を有する異なるプロトコルデータユニット（ＰＤＵ）セッションの処理）、特定のＳＭＦ１８３ａ、１８３ｂを選択すること、レジストレーションエリアの管理、非アクセス層（ＮＡＳ）シグナリングの終了、およびモビリティ管理などを担うことができる。ネットワークスライシングは、ＷＴＲＵ１０２ａ、１０２ｂ、１０２ｃにおいて利用されるサービスのタイプに基づいて、ＷＴＲＵ１０２ａ、１０２ｂ、１０２ｃのＣＮサポートをカスタマイズするために、ＡＭＦ１８２ａ、１８２ｂによって使用することができる。例えば、超高信頼低遅延（ＵＲＬＬＣ）アクセスに依存するサービス、高速大容量モバイルブロードバンド（ｅＭＢＢ）アクセスに依存するサービス、およびＭＴＣアクセスのためのサービスなど、異なる使用事例のために、異なるネットワークスライスを確立することができる。ＡＭＦ１８２ａ／１８２ｂは、ＲＡＮ１０４と、ＬＴＥ、ＬＴＥ−Ａ、ＬＴＥ−Ａ  Ｐｒｏ、および／またはＷｉＦｉなどの非３ＧＰＰアクセス技術など、他の無線技術を利用する他のＲＡＮ（図示されず）との間の交換のためのコントロールプレーン機能を提供することができる。
【００５４】
ＳＭＦ１８３ａ、１８３ｂは、Ｎ１１インターフェースを介して、ＣＮ１０６内のＡＭＦ１８２ａ、１８２ｂに接続することができる。ＳＭＦ１８３ａ、１８３ｂは、Ｎ４インターフェースを介して、ＣＮ１０６内のＵＰＦ１８４ａ、１８４ｂに接続することもできる。ＳＭＦ１８３ａ、１８３ｂは、ＵＰＦ１８４ａ、１８４ｂを選択および制御し、ＵＰＦ１８４ａ、１８４ｂを通したトラフィックのルーティングを構成することができる。ＳＭＦ１８３ａ、１８３ｂは、ＵＥ  ＩＰアドレスを管理し、アロケートすること、ＰＤＵセッションを管理すること、ポリシ実施およびＱｏＳを制御すること、ならびにＤＬデータ通知を提供することなど、他の機能を実行することができる。ＰＤＵセッションタイプは、ＩＰベース、非ＩＰベース、およびイーサネット（登録商標）ベースなどであることができる。
【００５５】
ＵＰＦ１８４ａ、１８４ｂは、Ｎ３インターフェースを介して、ＲＡＮ１０４内のｇＮＢ１８０ａ、１８０ｂ、１８０ｃのうちの１つまたは複数に接続することができ、ｇＮＢ１８０ａ、１８０ｂ、１８０ｃのうちの１つまたは複数は、インターネット１１０など、パケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にできる。ＵＰＦ１８４ａ、１８４ｂは、パケットをルーティングおよび転送すること、ユーザプレーンポリシを実施すること、マルチホーミングＰＤＵセッションをサポートすること、ユーザプレーンＱｏＳを処理すること、ＤＬパケットをバッファすること、モビリティを提供すること、ならびにアンカリングなど、他の機能を実行することができる。
【００５６】
ＣＮ１０６は、他のネットワークとの通信を容易にすることができる。例えば、ＣＮ１０６は、ＣＮ１０６とＰＳＴＮ１０８との間のインターフェースとしての役割を果たすＩＰゲートウェイ（例えば、ＩＰマルチメディアサブシステム（ＩＭＳ）サーバ）を含むことができ、またはそれと通信することができる。加えて、ＣＮ１０６は、他のネットワーク１１２へのアクセスをＷＴＲＵ１０２ａ、１０２ｂ、１０２ｃに提供することができ、他のネットワーク１１２は、他のサービスプロバイダによって所有および／または運営される他の有線および／または無線ネットワークを含むことができる。一実施形態においては、ＷＴＲＵ１０２ａ、１０２ｂ、１０２ｃは、ＵＰＦ１８４ａ、１８４ｂへのＮ３インターフェース、およびＵＰＦ１８４ａ、１８４ｂとＤＮ１８５ａ、１８５ｂとの間のＮ６インターフェースを介して、ＵＰＦ１８４ａ、１８４ｂを通して、ローカルＤＮ１８５ａ、１８５ｂに接続することができる。
【００５７】
図１Ａ〜図１Ｄ、および図１Ａ〜図１Ｄについての対応する説明に鑑みて、ＷＴＲＵ１０２ａ〜ｄ、基地局１１４ａ〜ｂ、ｅノードＢ１６０ａ〜ｃ、ＭＭＥ１６２、ＳＧＷ１６４、ＰＧＷ１６６、ｇＮＢ１８０ａ〜ｃ、ＡＭＦ１８２ａ〜ｂ、ＵＰＦ１８４ａ〜ｂ、ＳＭＦ１８３ａ〜ｂ、ＤＮ１８５ａ〜ｂ、および／または本明細書において説明された他の任意のデバイスのうちの１つまたは複数に関して、本明細書において説明された機能の１つもしくは複数またはすべては、１つまたは複数のエミュレーションデバイス（図示されず）によって実行することができる。エミュレーションデバイスは、本明細書において説明された機能の１つもしくは複数またはすべてをエミュレートするように構成された、１つまたは複数のデバイスであることができる。例えば、エミュレーションデバイスは、他のデバイスをテストするために、ならびに／またはネットワークおよび／もしくはＷＴＲＵ機能をシミュレートするために、使用することができる。
【００５８】
エミュレーションデバイスは、実験室環境において、および／またはオペレータネットワーク環境において、他のデバイスの１つまたは複数のテストを実施するように設計することができる。例えば、１つまたは複数のエミュレーションデバイスは、通信ネットワーク内の他のデバイスをテストするために、有線および／または無線通信ネットワークの一部として、完全または部分的に実施および／または配備されながら、１つもしくは複数またはすべての機能を実行することができる。１つまたは複数のエミュレーションデバイスは、有線および／または無線通信ネットワークの一部として、一時的に実施／配備されながら、１つもしくは複数またはすべての機能を実行することができる。エミュレーションデバイスは、オーバザエア無線通信を使用したテスト、および／またはテストを実行する目的で、別のデバイスに直接的に結合することができる。
【００５９】
１つまたは複数のエミュレーションデバイスは、有線および／または無線通信ネットワークの一部として実施／配備されていない間に、すべてを含む１つまたは複数の機能を実行することができる。例えば、エミュレーションデバイスは、１つまたは複数の構成要素のテストを実施するために、テスト実験室、ならびに／または配備されていない（例えば、テスト）有線および／もしくは無線通信ネットワークにおける、テストシナリオにおいて利用することができる。１つまたは複数のエミュレーションデバイスは、テスト機器であることができる。データを送信および／または受信するために、直接ＲＦ結合、および／または（例えば、１つもしくは複数のアンテナを含むことができる）ＲＦ回路を介した無線通信を、エミュレーションデバイスによって使用することができる。
【００６０】
スペクトル効率を改善するために、８０２．１１ａｃは、同じシンボルの時間フレーム内における、例えば、ＤＬ  ＯＦＤＭシンボルの間における、多数のＳＴＡへのＤＬマルチユーザＭＩＭＯ（ＭＵ−ＭＩＭＯ）送信をサポートする。ＤＬ  ＭＵ−ＭＩＭＯは、８０２．１１ａｈによってサポートすることもできる。８０２．１１ａｃにおいて使用されるような、ＤＬ  ＭＵ−ＭＩＭＯは、多数のＳＴＡに対して同じシンボルタイミングを使用することができるので、多数のＳＴＡへの波形送信の干渉は、問題にならないことができる。しかしながら、このケースにおいては、ＡＰ／ＰＣＰと共にＭＵ−ＭＩＭＯ送信に関与するすべてのＳＴＡは、同じチャネルまたはバンドを使用しなければならず、そのことが、動作帯域幅を、ＡＰ／ＰＣＰと共にＭＵ−ＭＩＭＯ送信に含まれるＳＴＡによってサポートされる、最も小さいチャネル帯域幅に制限する。
【００６１】
８０２．１１ａｄは、６０ＧＨｚバンドにおける超高スループット（ＶＨＴ）のために、媒体アクセス制御（ＭＡＣ）および物理（ＰＨＹ）レイヤの仕様を定める、ＷＬＡＮ規格の修正である。８０２．１１ａｄによってサポートされる例示的な機能（feature）は、最大７Ｇビット／秒のデータレートのサポート、ならびに／またはシングルキャリア（ＳＣ）およびスペクトル拡散を用いる制御ＰＨＹレイヤ、シングルキャリアＰＨＹレイヤ、およびＯＦＤＭ  ＰＨＹレイヤを含む、３つの異なる変調モードのサポートを含む。８０２．１１ａｄは、全世界で利用可能な、６０ＧＨｚの免許が不要なバンドの使用をサポートすることができる。６０ＧＨｚにおいては、波長は、５ｍｍであり、それは、コンパクトにし、アンテナまたはアンテナアレイを可能にする。そのようなアンテナは、送信機および受信機の両方において、狭いＲＦビームを生成することができ、それが、効果的にカバレージ範囲を増大させ、干渉を低減させる。８０２．１１ａｄのフレーム構造は、ビームフォーミングトレーニングのためのメカニズム（発見および追跡）を容易にする。ビームフォーミングトレーニングプロトコルは、２つの構成要素、すなわち、セクタレベルスイープ（ＳＬＳ）手順と、ビームリファインメントプロトコル（ＢＲＰ）手順とを含むことができる。ＳＬＳ手順は、送信ビームフォーミングトレーニングのために使用され、ＢＲＰ手順は、受信ビームフォーミングトレーニング、ならびに送信ビームおよび受信ビーム両方の反復的なリファインメントを可能にする。ＳＵ−ＭＩＭＯおよびＭＵ−ＭＩＭＯの両方を含むＭＩＭＯ送信は、８０２．１１ａｄによってサポートされないことがある。
【００６２】
８０２．１１ａｄは、シングルキャリア（ＳＣ）ＰＨＹ、ＯＦＤＭ  ＰＨＹ、制御ＰＨＹ、低電力ＳＣ  ＰＨＹなど、多数のＰＨＹレイヤプロトコルをサポートすることができる。すべてのサポートされるＰＨＹレイヤプロトコルは、同じパケット構造を共用することができるが、各フィールドについての詳細な設計は、異なることができる。図２は、例示的な指向性マルチギガビット（ＤＭＧ）物理レイヤ収束プロトコル（ＰＬＣＰ）プロトコルデータユニット（ＰＰＤＵ）パケット２００である。ＤＭＧ  ＰＰＤＵパケットは、以下のフィールド、すなわち、自動利得制御（ＡＧＣ）および／もしくは（周波数オフセット）同期のために使用することができる、ショートトレーニングフィールド（ＳＴＦ）２０２、チャネル推定および／もしくはチャネル補正のために使用することができる、チャネル推定（ＣＥ）フィールド２０４、シグナリングのために使用することができる、ヘッダフィールド２０６、ユーザデータペイロードを搬送することができる、データフィールド２０８、ならびに／またはビームリファインメントのために使用することができる、トレーニング（ＴＲＮ−Ｒ／Ｔ）サブフィールド２１０を含むことができるが、それらを含むことに限定されない。各フィールドは、示されるような対応する時間持続、すなわち、ｔSTF、ｔCE、ｔHeader、ｔData、および／またはｔTRNを有することができる。
【００６３】
図３は、８０２．１１ａｄに従った、ＤＭＧチャネルアクセス方式３００の例示的なビーコン間隔３０２である。ビーコン間隔３０２は、ビーコンヘッダ間隔（ＢＨＩ）３０４、および／またはデータ送信間隔（ＤＴＩ）３０６を含むことができる。ＢＨＩ３０４は、さらに、ビーコン送信間隔（ＢＴＩ）３０８、アソシエーションビームフォーミングトレーニング（Ａ−ＢＦＴ）間隔３１０、および／またはアナウンスメント送信間隔（ＡＴＩ）３１２を含むことができる。ＤＴＩ３０６は、スケジュールされたサービス期間（ＳＰ）３１６およびＳＰ３１８、ならびに／またはコンテンションベースのアクセス期間（ＣＢＡＰ）３２０を含むことができる。示されていない他の間隔も、ビーコン間隔３０２内に含むことができる。
【００６４】
ＢＴＩ３０８は、その間に１つまたは複数ＤＭＧビーコンフレームが送信される、アクセス期間であることができる。すべてのＤＭＧビーコンフレームが、すべての非ＰＣＰおよび非ＡＰ  ＳＴＡによって検出可能なわけではない。すべてのビーコン間隔３０２が、ＢＴＩ３０８を含むわけではない。例においては、非ＡＰ  ＳＴＡでもある非ＰＣＰ  ＳＴＡは、それがそのメンバであるＢＳＳのＢＴＩ３０８の間、送信することができない。Ａ−ＢＦＴ３１０は、先行するＢＴＩ３０８の間にＤＭＧビーコンフレームを送信したＳＴＡを用いて、その間にビームフォーミングトレーニングが実行される、アクセス期間であることができる。Ａ−ＢＦＴ３１０は、ビーコン間隔３０２内に含まれることも、または含まれないこともあり、それの存在は先行するＢＴＩ３０８の間のＤＭＧビーコンフレーム内において伝達することができる。ＡＴＩ３１２は、ＰＣＰ／ＡＰと非ＰＣＰ／非ＡＰ  ＳＴＡとの間の、要求−応答ベースの管理アクセス期間であることができる。ＡＴＩ３１２は、ビーコン間隔３０２内に含まれることも、または含まれないこともあり、それの存在は、先行するＢＴＩ３０８の間に、ＤＭＧビーコンフレーム内において伝達することができる。ＤＴＩ３０６は、その間にフレーム交換がＳＴＡ間において実行される、アクセス期間であることができる。ビーコン間隔３０２当たり１つのＤＴＩ３０６が、存在することができ、またはより多くのＤＴＩを、ビーコン間隔３０２内に含むことができる。
【００６５】
タスクグループａｙ（ＴＧａｙ）は、ＳＴＡ当たりの電力効率を維持または改善しながら、ＭＡＣデータサービスアクセスポイントにおいて測定されたときに、少なくとも２０ギガビット毎秒（Ｇｂｐｓ）の最大スループットをサポートすることが可能な、少なくとも１つの動作モードを可能にするために、ＩＥＥＥ８０２．１１  ＰＨＹおよびＭＡＣレイヤの両方に対する規格化された変更を定義する修正を開発することを期待されている。この修正は、また４５ＧＨｚよりも上の免許が不要なバンドのための動作を、同じバンド内において動作する（例えば８０２．１１ａｄ−２０１２修正によって定義された）レガシ指向性マルチギガビット局との後方互換性および共存を保証しながら定義する。８０２．１１ａｄのそれよりもはるかに高い最大スループットが、ＴＧａｙの主要な目標であるが、モビリティおよび屋外サポートも含むことが提案されている。スループット、待ち時間、動作環境、および用途に関して、１０よりも多い異なる使用事例が、提案され分析されている。８０２．１１ａｙは、レガシ規格と同じバンド内において動作することができるので、新しい技術は同じバンド内におけるレガシとの後方互換性および共存を保証すべきである。強調される２つの新しい技術は、ＭＩＭＯ、およびチャネルボンディングを含む。
【００６６】
８０２．１１ａｙは、与えられた周波数バンド内の２つ以上の隣接チャネルを組み合わせて、スループットを増加させることを含む、チャネルボンディングおよびチャネルアグリゲーションをサポートすることが期待されている。例えば、チャネルボンディング（ＣＢ）においては、２つのサブチャネル（例えば、２．１６ＧＨｚ＋２．１６ＧＨｚ帯域幅）を、１つの有効なチャネルとして符号化することができる。チャネルアグリゲーション（ＣＡ）においては、２つのサブチャネルを組み合わせるが、２つの別々のチャネルとして独立に符号化することができる。
【００６７】
８０２．１１ａｙのための仕様フレームワーク文書（ＳＦＤ）には、数々の要素が含まれた。例えば、ＳＦＤは、完全なキャリアセンスを含み、物理的および仮想的キャリアセンスが、プライマリチャネル上において維持されるものとする。ＳＦＤは、加えて、強化された指向性マルチギガビット（ＥＤＭＧ）ＳＴＡが、ピアＥＤＭＧ  ＳＴＡにフレームを送信して、チャネルボンディング送信を実行する意図をピアＳＴＡに示すことを可能にする。これは、ＥＤＭＧ  ＳＴＡが、そのようなフレームを受信した後でのみ、多数のチャネル上において動作することを選択することを可能にし、したがって、電力を節約する。８０２．１１ａｙ  ＳＦＤは、多数のチャネルを使用するとき、ＰＣＰまたはＡＰが、異なるチャネルに個別にアロケートされた多数のＳＴＡに同時に送信することができることをサポートする。８０２．１１ａｙ  ＳＦＤは、２つ以上のチャネル上において、および／またはボンディングされたチャネル上において、ＳＰおよびスケジュールされたＣＢＡＰのアロケーション（スケジューリング）をサポートする。これらのアロケーションは、プライマリチャネルを含む必要はない。異なるチャネル上におけるアロケーションが、時間的に重なり合うとき、そのようなアロケーションの送信元および送信先は、異なることができる。そのようなアロケーションのために使用されるチャネルは、ＢＳＳの動作チャネルに制限することができる。本明細書においては、「アロケーション」および「スケジューリング」は、ＳＰおよびＣＢＡＰに関しては、交換可能に使用することができる。
【００６８】
図４は、チャネルボンディングとチャネルアグリゲーションの混合がサポートされる、例示的なチャネライゼーション方法４００である。１つまたは複数の提案は、チャネルアグリゲーションのための２．１６ＧＨｚ＋２．１６ＧＨｚおよび４．３２ＧＨｚ＋４．３２ＧＨｚモードを検討する。２．１６ＧＨｚ、４．３２ＧＨｚ、６．４８ＧＨｚ、および８．６４ＧＨｚの帯域幅を有するチャネルは、単一チャネル動作および／またはボンディングされたチャネル動作をサポートすることができる。例示的なチャネライゼーション方法４００においては、アグリゲーションは、以下のように示され、すなわち、各々が２．１６ＧＨｚを有するチャネル４０１〜４０６は、単一であること、ボンディングされること、および／またはアグリゲートされること（例えば、チャネル４０１とチャネル４０２との間のアグリゲーション）ができ、各々が４．３２ＧＨｚを有するチャネル４０９〜４１３は、単一であること、ボンディングされること、および／またはアグリゲートされること（例えば、チャネル４０９とチャネル４１０との間のアグリゲーション）ができ、各々が６．４８ＧＨｚを有するチャネル４１７〜４２０は、単一であること、および／またはボンディングされること（例えば、チャネル４１７とチャネル４１８との間のボンディング）ができ、ならびに各々が８．６４ＧＨｚを有するチャネル４２５〜４２７は、単一であること、および／またはボンディングされること（例えば、チャネル４２５とチャネル４２６との間のボンディング）ができる。
【００６９】
ＥＤＭＧデバイスのためのＰＨＹレイヤヘッダであるＥＤＭＧ−ヘッダ−Ａは、以下のフィールドを、すなわち、帯域幅フィールド、チャネルボンディングとチャネルアグリゲーションとを区別するためのチャネルボンディングフィールド、および／またはプライマリチャネルフィールドを含むことができるが、それらを含むことに限定されない。これらの３つのフィールドは、送信要求／送信可（ＲＴＳ／ＣＴＳ）セットアップのために、制御トレーラ内に含むことができる（すなわち、制御情報を搬送するための制御モードＰＰＤＵの最後に追加されるフィールド）。効率的なチャネルボンディング動作のための帯域幅情報を搬送するために、二重化ＲＴＳ／ＣＴＳ手法（例えば、２つ以上の２．１６ＧＨｚチャネルにおいて２．１６ＧＨｚ非ＥＤＭＧ送信を二重化し、非ＥＤＭＧ  ＢＳＳ内のＳＴＡが、２．１６ＧＨｚチャネルのうちのいずれかの上で送信を受信することを可能にする、ＰＨＹレイヤの送信フォーマット）が、提案された。
【００７０】
図５は、例示的なＥＤＭＧプリアンブル５００のフォーマットである。ＥＤＭＧプリアンブル５００は、以下のフィールドを、すなわちレガシＳＴＦ（Ｌ−ＳＴＦ）５０２（すなわち、非ＥＤＭＧ−ＳＴＦ）、レガシチャネル推定フィールド（Ｌ−ＣＥＦ）５０４（すなわち、非ＥＤＭＧ−ＣＥＦ）、レガシヘッダ（Ｌ−ヘッダ）フィールド５０６（すなわち、非ＥＤＭＧ−ヘッダ）、ＥＤＭＧ−ヘッダ−Ａフィールド５０８、ＥＤＭＧ−ＳＴＦ５１０、ＥＤＭＧ−ＣＥＦ５１２、ＥＤＭＧ−ヘッダ−Ｂ５１４、データフィールド５１６、自動利得制御（ＡＧＣ）フィールド５１８、および／またはトレーニング（ＴＲＮ）フィールド５２０を含むが、それらを含むことに限定されない。ＥＤＭＧプリアンブル５００のフォーマットは、ＭＩＭＯを用いるマルチチャネル送信および／またはサイクリックシフトを使用するプリアンブルの非ＥＤＭＧ部分のマルチストリーム送信をサポートすることができる。
【００７１】
図６は、ストリーム６０１、６０２上におけるＥＤＭＧプリアンブルの例示的なマルチストリーム送信方式６００である。例示的なマルチストリーム送信方式６００は、マルチチャネル送信上においてＬ−ＳＴＦフィールド６０６がどのように構成されるかを示している。この例においては、チャネル６０３、６０４は、異なること、例えば、アグリゲート／ボンディングされたチャネルの２．１６ＧＨｚサブチャネルであることができる。チャネル６０３とチャネル６０４は、周波数領域において分離されるので、ヘッダの開始から最大でＥＤＭＧ−ヘッダ−Ａ６１２までの情報は、同じであることができる。いくつかのケースにおいては、ＥＤＭＧ−ヘッダ−Ａ６１２は、異なることができるが、他のすべてのフィールドは、同じであることができる。例示的なマルチストリーム送信方式６００は、非ＥＤＭＧ  ＳＴＡが、レガシヘッダ情報（例えば、Ｌ−ＳＴＦ６０６、Ｌ−ＣＥＦ６０８、および／またはＬ−ヘッダフィールド６１０）を読み、ボンディング／アグリゲートされたＥＤＭＧ送信（ＥＤＭＧ−ヘッダ−Ａ６１２、ＥＤＭＧ−ＳＴＦ６１４、およびＥＤＭＧ−ＣＥＦ６１６）が来ようとしていることを知ることを可能にする。
【００７２】
Ｌ−ＳＴＦ６０６およびＬ−ＣＥＦ６０８を含むプリアンブル６２０は、ゴレイ系列を使用して構成することができる。各系列は、双極シンボル（＋１または−１）から成る。これらの異なるプリアンブルタイプは、ゴレイ系列の基本構築ブロック（例えば、Ｇａ128およびＧｂ128）を搬送する。ゴレイ系列は、位相が異なる非周期な自己相関係数の和がゼロであるという有用な特性(property)を有し、それは、同期に役立つ。
【００７３】
他のＥＤＭＧ−ＳＴＦフィールドおよびＥＤＭＧ−ＣＥＦフィールドは、ＴＧａｙによって使用することができる。図７は、チャネルボンディングを用いる例示的なＥＤＭＧ−ＳＴＦフィールド７００である。この例においては、空間ストリーム「ｉ」のためのＥＤＭＧ−ＳＴＦフィールド７００は、Ｇｗi系列の多数の繰り返しから構築される。Ｇｗi系列は、ゴレイ系列から構成され、Ｇｗi＝［ＧａiN，ＧａiN，ＧａiN，−ＧａiN］であり、Ｎは、ゴレイ系列の長さである（例えば、Ｎは、チャネルボンディング（ＣＢ）＝１、２、４に対して、それぞれ、１２８、２５６、５１２に等しいことができる）。チップ持続時間は、Ｔc＝０．５７ナノ秒（ｎｓ）であることができる。図７の例においては、単一の２．１６ＧＨｚは、チャネルボンディングを使用せず、各々がＴｃ／２のサイズを有する、４×１２８＝５１２個のサンプルを含む。２×２．１６ＧＨｚチャネルボンディングされたチャネルは、チャネルボンディングサイズ２を有し、チャネルは別個であるが隣接しており、各々がＴｃ／２のサイズを有する、４×２５６＝１０２４個のサンプルを含む。４×２．１６ＧＨｚチャネルボンディングされたチャネルは、チャネルボンディングサイズ４を有し、チャネルは別個であるが隣接しており、各々がＴｃ／４のサイズを有する、４×５１２＝２０４８個のサンプルを含む。
【００７４】
ＥＤＭＧ−ヘッダ＿Ｂフィールドは、ＭＩＭＯ送信のために使用されることも、または使用されないこともある。ＳＣ  ＰＨＹ  ＭＵ−ＭＩＭＯのケースにおいては、ＥＤＭＧ−ヘッダ−Ｂのための変調符号化方式（ＭＣＳ）が、ＴＧａｙによって提案された。例においては、ＥＤＭＧ−ヘッダ−Ｂフィールドは、２つのＳＣシンボルブロックを使用して送信することができる。各ＳＣシンボルブロックについて、第ｉのストリームについてのｂｌｋiと呼ばれる符号化および変調されたＥＤＭＧ−ヘッダ−Ｂシンボルの一部は、４４８個のチップによって搬送することができ、長さが６４チップのゴレイＧａi６４系列を有するガードインターバル（ＧＩ）を追加することができる。したがって、チャネルボンディングを用いないＳＣシンボルブロックは、ベクトル［Ｇａi６４，ｂｌｋi］によって定義することができる。２、３、および４個のチャネルを用いるチャネルボンディングについては、ＳＣシンボルブロックは、式１に示されるように、行列によって定義することができる。  
ＮＣＢ＝２：［Ｇａi128，ｂｌｋi，ｂｌｋi］
ＮＣＢ＝３：［Ｇａi192，ｂｌｋi，ｂｌｋi，ｂｌｋi］
ＮＣＢ＝４：［Ｇａi256，ｂｌｋi，ｂｌｋi，ｂｌｋi，ｂｌｋi］    式１
【００７５】
８０２．１１ａｄおよび／または８０２．１１ａｙは、受信機において周波数領域等化を可能にする、ＳＣ波形を検討することができる。しかしながら、ＵＬにおいて、隣接バンドにアクセスする多数のユーザが、存在する場合、またはＡＰが、隣接バンド上において動作する、多数のＳＣ波形を用いる多数のユーザにサービスする場合、様々なＳＣ波形信号は、互いに直交しないことがあるので、受信機においてＦＦＴ操作が適用された後、キャリア間干渉（ＩＣＩ）が、発生することがある。例えば、ビームフォーミング後、様々なＳＣ波形信号の受信信号電力が、互いに著しく異なるとき、ＵＬにおいて、悪化が、発生することがある。したがって、本明細書において開示される実施形態は、多数のユーザからのＳＣ波形間の時間および周波数における直交性を保証することができる。
【００７６】
８０２．１１ａｄにおいては、チャネルボンディングおよび／またはチャネルアグリゲーションを使用しないことがある。したがって、８０２．１１ａｄは、マルチチャネル送信のためのＳＰおよび／またはＣＢＡＰをスケジュールする（アロケートする）ためのメカニズムを提供しないことがある。さらに、チャネルボンディングおよび／またはチャネルアグリゲーションを用いる場合、送信がオーバラッピングＢＳＳからの干渉に対してより脆弱であることができるように、単一の送信のために、２つ以上のチャネルを使用することができる。
【００７７】
送信デバイス（例えば、ＡＰ／ＰＣＰ、または非ＡＰ／非ＰＣＰ  ＳＴＡ）が、多数のチャネル上において送信を開始するとき、受信デバイスは、使用されるアナログ／ベースバンドビームフォーミング方式を知り、したがって、送信のために対応する受信ビームを準備することができる必要があることがある。本明細書における実施形態は、マルチチャネルセットアップフレームのための設計および送信方式、ならびに受信デバイスが使用されるアナログ／ベースバンドビームフォーミング方式を知ることを保証するために使用することができるマルチチャネル対応の送信期間を含む。
【００７８】
本明細書の開示による例示的な実施形態によれば、ＵＬ（またはＤＬ）において異なるＳＴＡから（または異なるＳＴＡのために）同時に生成されるＳＣ波形は、離散フーリエ変換（ＤＦＴ）−拡散ＯＦＤＭ構造を使用することによって、周波数領域において非オーバラッピング構造を有することができる。例えば、図８は、ＳＴＡ８０１およびＳＴＡ８０２への同時送信のために、ＡＰ８０５がどのようにして２つのＳＣ波形を単一の波形（信号）８０９に合成することができるかを示す、例示的なＢＳＳ８００のシステム図である。ＳＴＡ８０１およびＳＴＡ８０２の各々は、自身のＳＣ波形を受信信号８０９から抽出することができる。ＡＰ８０５（同様に、ＰＣＰ）は、以下の構成要素を、すなわち、ＤＦＴ−拡散ブロック８０６1、８０６2と、窓化機能（windowing）８０８1、８０８2と、逆離散フーリエ変換（ＩＤＦＴ）操作ブロック８１０とを含むが、それらを含むことに限定されない。ＳＴＡ８０１は、以下の構成要素を、すなわち、ＤＦＴ−拡散ブロック８２０1と、イコライザブロック８２２1と、窓化解除機能（de-windowing）８２４1と、ＩＤＦＴ操作ブロック８２６1とを含むが、それらを含むことに限定されない。同様に、ＳＴＡ８０２は、以下の構成要素を、すなわち、ＤＦＴ−拡散ブロック８２０2と、イコライザブロック８２２2と、窓化解除機能８２４2と、ＩＤＦＴ操作ブロック８２６2とを含むが、それらを含むことに限定されない。示されていない他の構成要素および機能性を、ＡＰ８０５、ならびにＳＴＡ８０１およびＳＴＡ８０２内に含むことができる。
【００７９】
入力ｕ2∈Ｃ32×1、ｘ2∈Ｃ448×1は、それぞれ、３２ビットおよび４４８ビットの長さを有する複素数であり（同様の定義が入力ｕ1およびｘ1にも適用される）、図８に示されるように、ＤＦＴ−拡散ブロック８０６1、８０６2によって変換され、窓化機能８０８1、８０８2において窓化係数（windowing coefficients）によって加重され（窓化係数は重なり合わないことができる）、サブキャリアインデックスとしてＩＤＦＴブロック８１０に提供される。
【００８０】
ＡＰ８０５は、それぞれＳＴＡ８０１およびＳＴＡ８０２に向けた２つのＳＣ波形を、（１つまたは複数の）アンテナを通して送信される信号８０９に合成するためのＩＤＦＴ操作ブロック８１０の前に、ＤＦＴ−拡散ブロック８０６1、８０６2を介するＤＦＴ−拡散、および窓化機能８０８1、８０８2を使用する周波数領域窓化操作を使用することができる。この例においては、周波数領域窓化８０８1、８０８2は、時間領域窓化に類似することができ、対応するＤＦＴ−拡散ブロック８０６1、８０６2の出力の最初および最後のサンプルは、サイクリックプレフィックスおよびサイクリックサフィックス拡張の後、対応する窓化機能８０８1、８０８2を介して平滑化される。信号８０９内における２つのＳＣ波形間の直交性は、（例えば、重なり合わないフィルタ通過帯域およびフィルタ阻止帯域を使用して）周波数領域窓化機能８０８1、８０８2の出力を周波数において重ね合わせないことによって保証することができる。ＳＴＡ８０１およびＳＴＡ８０２の各々は、それぞれ、受信信号８０９を処理する。受信エンドにおいて、ＳＴＡ８０１（および同様に、ＳＴＡ８０２）は、受信信号８０９にＤＦＴ８２０1を適用し、等化８２２1（例えば、単一タップ周波数領域等化）、窓化解除８２４1（例えば、加重操作および結合操作）、ならびにＩＤＦＴ８２６1を適用して、信号ｕ1、ｕ2、およびｘ1を回復する。
【００８１】
図９は、ＳＴＡ９０１およびＳＴＡ９０２がそれらのＳＣ波形を隣接チャネル上において送信するＵＬにおける非オーバラッピング構造を示す、例示的なＢＳＳ９００のシステム図である。ＡＰ９０５（同様に、ＰＣＰ）は、以下の構成要素を、すなわち、ＩＤＦＴ操作ブロック９０６1、９０６2と、窓化解除機能９０８1、９０８2と、イコライザ９１２1、９１２2と、ＤＦＴ−拡散ブロック９１０とを含むが、それらを含むことに限定されない。ＳＴＡ９０１は、以下の構成要素を、すなわち、ＩＤＦＴ操作ブロック９２０1と、窓化機能９２４1と、ＤＦＴ−拡散ブロック９２６1とを含むが、それらを含むことに限定されない。ＳＴＡ９０２は、以下の構成要素を、すなわち、ＩＤＦＴ操作ブロック９２０2と、窓化機能９２４2と、ＤＦＴ−拡散ブロック９２６2とを含むが、それらを含むことに限定されない。示されていない他の構成要素および機能性を、ＡＰ９０５、ならびにＳＴＡ９０１およびＳＴＡ９０２内に含むことができる。ＩＤＦＴブロック９２０1、９２０2の入力は、同じでないので、ＳＴＡ９０１およびＳＴＡ９０２（すなわち、ユーザ）によって送信される信号９０９1と信号９０９2との間の直交性は、このケースにおいてはＡＰ９０５である、受信機サイドにおいて維持される。
【００８２】
本明細書の開示による例示的な実施形態によれば、窓化操作（windowing operation）（例えば、図９における窓化操作９２４1、９２４2）は、ＭＩＭＯ動作においてサイクリック遅延ダイバーシティを達成するために、時間領域においてサイクリックシフトを達成するように一般化することができる。ＳＣ波形についてのブロックベースの線形シフトを達成するために、同じ特性（property）を使用することができる。別の例示的な実施形態によれば、ＤＦＴ−拡散ブロック（例えば、図９におけるＤＦＴ−拡散ブロック９２６1、９２６2）間における（ＤＦＴの各入力が周波数ビンに対応するような）周波数ビン（すなわち、サブキャリア）の数、および送信サイド（ＡＰまたはＳＴＡ）上における周波数領域窓化操作（例えば、図９における窓化操作９２４1、９２４2）の出力間の隔たりは、異なる窓化タイプを可能にするために、ゼロよりも大きいことができる。
【００８３】
窓化機能については、２つ以上の設計が、可能である。例えば、窓化機能は、窓化が残留対称性（vestigial symmetry）を達成する特定の構造を有するように設計することができる。この操作は、図１０の例に示されるような、窓化解除操作を利用する低複雑度受信機構造を可能にすることができる。図１０は、窓化操作および窓化解除操作のいくつかの詳細を示す、例示的なＢＳＳ１０００のシステム図である。ＡＰ１００５（同様に、ＰＣＰ）は、以下の構成要素を、すなわち、ＤＦＴ−拡散ブロック１００６1、１００６2と、窓化機能１００８1、１００８2と、ＩＤＦＴ−拡散ブロック１０１０とを含むが、それらを含むことに限定されない。ＳＴＡ１００１は、以下の構成要素を、すなわち、ＤＦＴ−拡散ブロック１０２０と、イコライザ１０２２と、窓化解除機能１０２４と、ＩＤＦＴ操作ブロック１０２６とを含むが、それらを含むことに限定されない。図１０に示される例においては、データシンボル、例えば、ｘ1、ｘ2のサイズは、固定されることも、または固定されないこともあり、系列ｕ1、ｕ2は、固定されることも、または固定されないこともあり、送信機におけるビームフォーミング能力に応じて、調整することができる。加えて、データシンボルの代わりに一定のシンボルを使用することによって、ＳＴＦフィールドおよびＣＥＦフィールドを合成するために、同じ構造を検討することができる。
【００８４】
フレーム１０３２、１０３４、１０３６は、ＢＳＳ１０００において、窓化がどのように機能するかについての例を示している。送信機１００５において、ＤＦＴブロック１００６1の出力フレーム１０３２は、窓化機能１００８1の後、どちらかのサイドに追加された拡張を伴ったフレーム１０３４の中央部になり、矢印は、拡張がどのように適用されるかを示している。窓化機能１００８1の一部として、拡張されたフレーム１０３２は、窓化機能１００８1において乗算され、結果として得られたフレームは、ＩＦＤＴ変換１０１０のために、サブキャリアにマッピングされる。受信機１００１においては、フレーム１０３６に示されるように、ＤＦＴ１０２０および等化１０２２の後、窓化解除１０２４が、適用される。矢印によって示されるように、窓化解除操作１０２４は、サイドバンドをフレーム１０３６のメインローブに重ね合わせる。窓化解除操作１０２４の後、ＩＤＦＴ１０２６が、計算される。別の例においては、図１０に示されるものとは異なる窓化機能を使用することができる。
【００８５】
本明細書の開示による例示的な実施形態によれば、ＡＰ／ＰＣＰは、ビーコン間隔内にＳＰおよび／またはＣＢＡＰをアロケートすることができる。ＳＰおよびＣＢＡＰスケジューリングおよびアロケーション手順は、チャネルボンディング／アグリゲーションを使用する通信のために定義することができる。図１１は、ビーコン間隔１１０３内において２つのチャネル１１０１、１１０２上におけるチャネルボンディング／チャネルアグリゲーション（ＣＢ／ＣＡ）を用いる、例示的なマルチチャネルアクセスおよび送信手順１１００のメッセージング図である。この例においては、ＡＰ／ＰＣＰは、少なくともマルチチャネルＳＰ／ＣＢＡＰアロケーションを含むことができる、（例えば、プライマリチャネル１１０１上だけで送信される、または別々のビーコンフレーム１１０４を用いる二重化モードにおいては、各チャネル１１０１、１１０２上で送信される）ビーコンフレーム１１０４を送信することができる。図１１に示されない例においては、アナウンスメントフレームまたは他のタイプの管理／制御フレーム（図示されず）内に、スケジューリング信号を含むことができる。
【００８６】
ＡＰ／ＰＣＰは、多数のチャネル上において、ＳＰ／ＣＢＡＰをスケジュールすることができ、ＡＰ／ＰＣＰは、スケジュールされたＳＰ／ＣＢＡＰを使用して、多数のＳＴＡと通信することができる。例えば、図１１を参照すると、ＡＰは、ＳＰ１１１１の間に、ＳＴＡ１およびＳＴＡ２と通信することができる。ＡＰ／ＰＣＰは、多数のチャネル上において、ＳＰ／ＣＢＡＰをスケジュールすることができ、各それぞれのチャネルは、送信および受信（Ｔｘ／Ｒｘ）ＳＴＡのペアにアロケートすることができる。例えば、ＡＰは、ＳＰ１１１２の間に、それぞれ、チャネル１１０１上においてＳＴＡ３およびＳＴＡ４と、チャネル１１０２上においてＳＴＡ５およびＳＴＡ６と通信することができる。ＡＰ／ＰＣＰは、多数のチャネル上において、ＳＰ／ＣＢＡＰをスケジュールすることができ、ＡＰ／ＰＣＰは、このＳＰ／ＣＢＡＰを使用して、１つのＳＴＡと通信することができる。例えば、図１１を参照すると、ＡＰは、ＳＰ１１１３の間に、チャネル１１０１およびチャネル１１０２上においてＳＴＡ７と通信することができる。ＡＰ／ＰＣＰは、１つまたは複数のチャネル（例えば、チャネルのサブセット）上において、ＳＰ／ＣＢＡＰをスケジュールすることができ、ＡＰ／ＰＣＰは、ＣＢＡＰ１１２１およびＣＢＡＰ１１２２に示されるように、１つもしくは複数のＳＴＡと通信することができ、またはコンテンションベースアクセスを可能にすることができる。「空」と記されたＣＢＡＰ１１２１におけるチャネル１１０２は、（例えば、ＯＢＳＳアクティビティのせいで）ＢＳＳ内において、コンテンションのために使用することができない。
【００８７】
本明細書の開示によれば、ビーコン間隔内におけるマルチチャネルスケジューリングのための例示的な原理は、以下を含む。例においては、ＡＰ／ＰＣＰは、チャネルボンディング／アグリゲーションのどちらかを使用して、２つ以上のチャネル上において、ＳＰ／ＣＢＡＰをアロケートすることができる。別の例においては、ＡＰ／ＰＣＰは、マルチチャネルマルチユーザ送信のために、ＳＰをアロケートすることができ、例えば、ＡＰは、ＳＰを使用して、多数のＳＴＡと通信することができ、各ＳＴＡは、１つのチャネル（例えば、ＳＴＡ毎の排他的チャネル）にアロケートすることができる。別の例においては、ＡＰ／ＰＣＰは、マルチチャネルマルチユーザ送信のために、ＳＰをアロケートすることができる。例えば、ＡＰは、ＳＰを使用して、多数のＳＴＡと通信することができ、各ＳＴＡは、同時送信および／または受信（ＵＬおよび／またはＤＬ）のために２つ以上のＳＴＡと（例えば、ＭＵ−ＭＩＭＯ送信を使用して）共用することができるチャネルにアロケートすることができる。
【００８８】
ＳＰおよび／またはＣＢＡＰの間におけるＢＳＳ間干渉を緩和するために、ＡＰ／ＰＣＰは、近隣のオーバラッピングＢＳＳ（ＯＢＳＳ）（すなわち、ＢＳＳのカバレージエリアと重なり合うカバレージエリアを有するＢＳＳ）と調整を行い、ＳＰをそれのＳＴＡに適宜アロケートすることができる。このように、ＡＰ／ＰＣＰは、ＯＢＳＳ  ＡＰ／ＰＣＰからのビーコンフレームおよび／またはアナウンスメントフレームを監視する(monitor)ことができる。
【００８９】
別の例においては、（ＢＳＳ内の）すべてのＳＴＡは、ＯＢＳＳ  ＡＰ／ＰＣＰから送信されたビーコンフレームを含む、ビーコンフレームのすべてを監視する(monitor)ことができる。ＯＢＳＳ  ＡＰ／ＰＣＰからのビーコンフレームを漏れ聞いた（受信した）非ＡＰ  ＳＴＡは、いくつかのケースにおいては、受信した情報を、（同じＢＳＳ内の）関連付けられたＡＰ／ＰＣＰに報告することができる。例示的なシナリオにおいては、関連付けられたＡＰ／ＰＣＰが、それのＢＳＳ内の非ＡＰ  ＳＴＡにＯＢＳＳスケジューリング情報を報告するように要求するメッセージを送信することができる場合。別の例においては、関連付けられたＡＰ／ＰＣＰは、関連付けられたＡＰ／ＰＣＰが、そこからのビーコンフレームを監視／受信／聴取することができる、ＯＢＳＳ  ＡＰ／ＰＣＰのリストを含むことができる。このケースにおいては、非ＡＰ  ＳＴＡは、リスト上にないＡＰ／ＰＣＰからの情報を報告することができる。別の例においては、ＡＰ／ＰＣＰは、それ自らのビーコンフレームまたは他の任意のタイプの管理フレーム内において、ＯＢＳＳビーコン送信を監視(monitor)する能力を示すことができる。このケースにおいては、関連付けられた非ＡＰ  ＳＴＡは、アソシエーションフレームまたは他の任意のタイプの管理フレームの能力フィールド内において、ＯＢＳＳビーコン送信を監視する能力を示すことができる。ＡＰ／ＰＣＰ  ＳＴＡおよび非ＡＰ  ＳＴＡの両方を含むＳＴＡは、設定された能力フィールドを有することができるＡＰ／ＰＣＰから送信することができるビーコンフレームを監視できる。
【００９０】
例においては、ＢＳＳ内におけるＳＰのアロケーション（スケジューリング）は、別のＢＳＳ（例えば、ＯＢＳＳ）内においてアロケートされたＳＰを回避することができる。例えば、ＡＰ／ＰＣＰは、（例えば、ＯＢＳＳ内の）別のＡＰ／ＰＣＰが、ｔ0から開始する持続時間がＴのＳＰを割り当てたことに気づくことができる。例においては、ＡＰ／ＰＣＰは、スケジュールされたＯＢＳＳ  ＳＰを、スケジュールされたＯＢＳＳ  ＣＢＡＰとは異なるように扱うことができる。例えば、ＡＰ／ＰＣＰは、ＯＢＳＳ  ＳＰが存在する場合、何もアロケートしないことができる。ＯＢＳＳ  ＣＢＡＰが存在する場合、ＡＰ／ＰＣＰは、最初に、他の重なり合わない／占有されていない時間／周波数スロットをアロケートしようと試みることができる。重なり合わない／占有されていない時間／周波数スロットが、利用可能でない場合、ＡＰ／ＰＣＰは、ＣＢＡＰに占有された時間／周波数スロットをアロケートすることができる。例においては、ＡＰ／ＰＣＰは、占有されたＯＢＳＳ  ＣＢＡＰの間に、ＣＢＡＰをアロケートすることができる。
【００９１】
このＳＰまたはＣＢＡＰ割り当て（アロケーション）の特性(property)に基づいて、ＡＰ／ＰＣＰは、以下の方法のうちの１つまたは複数のいずれかを使用して、マルチチャネル送信を割り当てることができる。ＯＢＳＳ送信によって干渉されないことができるチャネル（例えば、第１のチャネル）については、ＡＰ／ＰＣＰは、関連付けられたＳＴＡにそのチャネルをアロケートすることができる。アロケーションは、ＳＰおよび／またはＣＢＡＰのためであることができる。ＯＢＳＳと重なり合い、アロケートされているチャネル（例えば、第２のチャネル）については、ＡＰ／ＰＣＰは、対応する時間ブロックをＯＢＳＳ  ＳＴＡによって使用することができるように、対応する時間ブロックを割り当てない（例えば、対応する時間ブロックを空に残しておく）ことができる。ＯＢＳＳと重なり合い、アロケートされているチャネル（例えば、第３のチャネル）については、ＡＰ／ＰＣＰは、ＯＢＳＳ  ＳＴＡによっても使用することができるチャネル上に、対応する時間ブロックを割り当てることができる。このケースにおいては、ＡＰ／ＰＣＰは、ＯＢＳＳ  ＳＴＡによって時間ブロックを使用することができることを示すフィールドを、アロケーションシグナリング内に（例えば、拡張されたスケジュール要素、動的アロケーション情報フィールド、変更された拡張されたスケジュール要素、および／または変更された動的アロケーション情報フィールド制御トレーラフィールド内に）含めることができる。加えて、ＡＰ／ＰＣＰは、ＯＢＳＳ  ＳＴＡの使用を示すために、限定することなく、以下の例示的なフィールドを、すなわち、ＳＰアロケーション、ＣＢＡＰアロケーション、アロケーションを切り詰めることができるかどうかを示すための切り詰めインジケータフィールド、アロケーションが拡大可能かどうかを示すための拡大可能インジケータフィールド、および／またはアロケーションが動的かどうかを示すためのインジケータフィールドを含むより多くのフィールドを、ＳＰ／ＣＢＡＰアロケーション内に含めることができる。したがって、ＳＴＡは、チャネル上のアロケートされた時間ブロック上において送信を実行しながら、特定の保護メカニズムによって保護されることができる。保護メカニズムの例は、限定することなく、以下のメカニズムを、すなわち、キャリアセンシング（例えば、キャリアセンス多重アクセス（ＣＳＭＡ））、仮想キャリアセンシング、および／またはＲＴＳ／ＣＴＳ手順を含む。
【００９２】
本明細書の開示による例示的な実施形態によれば、ＯＢＳＳ干渉を緩和するために、グループアロケーションメカニズムを使用することができる。例えば、ＡＰ／ＰＣＰは、ある特性(property)を有するＳＰ／ＣＢＡＰを、アロケーショングループ期間（ＡＧＰ）と呼ばれることがある事前定義された期間にグループ化することができる。例えば、ＡＰ／ＰＣＰは、類似のチャネルボンディング／アグリゲーション特性(property)を有するＳＰ／ＣＢＡＰを、１つまたは複数のＡＧＰにグループ化して、各ＡＧＰが１つまたは複数のＳＰおよび／またはＣＢＡＰを含むことができるようにすることができる。例えば、ＡＰ／ＰＣＰは、ＣＢ／ＣＡを使用するＳＰ／ＣＢＡＰを１つまたは複数のＡＧＰにグループ化し、ＣＢ／ＣＡを用いないＳＰ／ＣＢＡＰを１つまたは複数の他の（異なる）ＡＧＰにグループ化することができる。ビーコン間隔は、１つまたは複数のＡＧＰを含むことができる。
【００９３】
図１２は、ビーコン間隔１２０３の間に、多数のＡＧＰ１２３１、１２３２、１２３３、１２３４を使用する、例示的なマルチチャネルアクセスおよび送信手順１２００のメッセージング図である。異なるＡＧＰにおいては、チャネル１２０１、１２０２上において、ＣＢ／ＣＡを使用することも、または使用しないこともできる。例えば、ＡＧＰ１２３１においては、ＡＰ／ＰＣＰは、ＣＢ／ＣＡ送信のために、ＳＰ１２１１、１２１２、１２１３をアロケート／スケジュールすることができる。この例においては、ＡＰ／ＰＣＰは、ＳＰ１２１１内において、ＳＴＡ１およびＳＴＡ２と通信し、ＳＰ１２１２内において、ＳＴＡ３、ＳＴＡ４、ＳＴＡ５、およびＳＴＡ６と通信し、ＳＰ１２１３内において、ＳＴＡ７と通信することができる。ＡＧＰ１２３２においては、ＡＰ／ＰＣＰは、チャネル１２０１、１２０２を使用したＣＢ／ＣＡ送信のために、ＣＢＡＰをアロケート／スケジュールすることができる。ＡＧＰ１２３３においては、ＡＰ／ＰＣＰは、チャネル１２０１上において送信するために（例えば、チャネル１２０１はプライマリチャネルであることができる）、ＳＰ／ＣＢＡＰをアロケート／スケジュールすることができるが、チャネル１２０２上においては、送信をアロケートせず、したがって、ＣＢ／ＣＡを使用しない。この例においては、ＡＧＰ１２３３の間、ＡＰ／ＰＣＰは、チャネル１２０１上においては、ＳＰ１２２１内においてＳＴＡ１０と、ＳＰ１２２２内においてＳＴＡ１１およびＳＴＡ１２と、ＳＰ１２２３内においてＳＴＡ１３と通信することができる。ＡＧＰ１２３３においては、ＡＰ／ＰＣＰは、チャネル１２０２上において送信するために（例えば、チャネル１２０１はセカンダリチャネルであることができる）、ＳＰ／ＣＢＡＰをアロケート／スケジュールすることができるが、チャネル１２０１を使用することはせず、したがって、ＣＢ／ＣＡを使用しない。この例においては、ＡＧＰ１２３４において、ＣＢＡＰのためにチャネル１２０２を使用することができる。このようにして、ＡＧＰ１２３３およびＡＧＰ１２３４は、近隣ＯＢＳＳ送信と共用することができる。例えば、ＯＢＳＳ  ＡＰ／ＰＣＰは、空のチャネル（例えば、ＡＧＰ１２３３内におけるチャネル１２０２、およびＡＧＰ１２３４内におけるチャネル１２０１）を使用して、ＡＧＰをアロケート／スケジュールすることができる。
【００９４】
本明細書の開示による例示的な実施形態によれば、ＡＰ／ＰＣＰは、ＡＧＰおよび／またはＳＰ／ＣＢＡＰスケジューリングを示すために、階層的シグナリングを使用することができる。階層的スケジューリング情報は、ビーコンフレーム、アナウンスメントフレーム、または他の任意のタイプの制御もしくは管理フレームなどの、制御フレーム内において搬送することができる。ＳＰ／ＣＢＡＰにわたるマルチチャネルマルチユーザ送信を可能にするために、階層的シグナリングを使用することができる。ＳＰ／ＣＢＡＰにわたるＭＩＭＯ送信を可能にするために、階層的シグナリングを使用することができる。
【００９５】
各ＡＧＰ内のＳＰ／ＣＢＡＰは、ＣＢ／ＣＡ特性など、１つまたは複数の共通特性(property)を共有することができ、したがって、ＡＧＰ内においてスケジュールされる期間についての共通特性を示すために、共通シグナリングフィールドを使用することができる。したがって、共通情報は、繰り返される必要がないことがあり、それが、シグナリングオーバヘッドを低減させる。例においては、共通情報フィールドは、ＡＧＰ内における個別アロケーションの数を示すことができる。個別ＳＰ／ＣＢＡＰアロケーションフィールドは、ＡＧＰ内においてＳＰ／ＣＢＡＰ毎に伝達することができ、それぞれのＳＰ／ＣＢＡＰについての特定の情報を搬送することができる。
【００９６】
図１３は、マルチチャネルアクセスおよび送信のためにＡＧＰを使用するグループアロケーションのための例示的な階層的シグナリング要素（またはフレーム）１３００である。階層的シグナリング要素１３００は、例えば、ビーコンフレーム、アナウンスメントフレーム、または他のタイプの制御／管理フレーム内において搬送することができる。階層的シグナリング要素１３００は、以下のフィールド、すなわち、階層的アロケーション／スケジュールシグナリングを示すために使用することができる、要素識別（ＩＤ）フィールド１３０２、階層的シグナリング要素１３００の長さを示すために使用することができる、長さフィールド１３０４、および／またはそれぞれのＡＧＰグループについての情報を搬送することができる、ｎ個のＡＧＰグループのためのＡＧＰフィールド１３０６1．．．１３０６nのうちのいずれかを含むことができるが、それらを含むことに限定されない。図１３（および図１４）に示される例は、情報要素（ＩＥ）タイプのフォーマットを使用するシグナリングを示しているが、しかしながら、開示されるフィールドおよびソリューションは、拡張フィールドなど、ＩＥ以外のフォーマットにおいても使用することができる。例えば、拡張フィールドフォーマットが使用される場合、要素ＩＤフィールド１３０２および／または長さフィールド１３０４は、使用されないことがある。
【００９７】
各ＡＧＰフィールド１３０６1．．．１３０６nは、１３０６1について示されるように、サブフィールドを含むことができる。例えば、ＡＧＰフィールド１３０６1は、対応するＡＧＰ内においてＳＰ／ＣＢＡＰによって共有される共通情報を搬送することができる、共通情報フィールド１３０８を含むことができる。共通情報フィールド１３０８内に含むことができる共通情報の多数の例は、以下において与えられる。例えば、共通情報フィールド１３０８は、チャネル情報（例えば、１つまたは複数のチャネル情報フィールド）を含むことができる。そのようなチャネル情報の例は、限定することなく、以下のフィールド（図示されず）、すなわち、チャネルボンディングおよび／もしくはチャネルアグリゲーションが可能かどうかを示すために使用することができる、ＣＢ／ＣＡフィールド、マルチユーザ送信がサポートされるかどうかを示すために使用することができる、マルチチャネルマルチユーザフィールド、最大許容動作チャネル帯域幅を示すために使用することができる、最大動作帯域幅フィールド、ならびに／または１つもしくは複数のどのチャネルをＡＧＰにアロケートすることができるかを示すために使用することができる、チャネルアロケーション情報フィールド（例えば、チャネルアロケーションを示すために、チャネルインデックスもしくはチャネルインデックスビットマップを使用することができる）のうちのいずれか１つまたは複数を含むことができる。
【００９８】
共通情報フィールド１３０８は、ＡＧＰがＳＰを含むか、それともＣＢＡＰを含むか、それともＳＰとＣＢＡＰの混合を含むかを示すことができる、ＳＰ／ＣＢＡＰフィールド、ＡＧＰにおけるアロケーションの数、ＡＧＰにおけるアロケーションが疑似静的か、切り詰めることができるか、拡大可能か、ＰＣＰ／ＡＰアクティブかを示すために使用することができる、アロケーション特性フィールドを搬送することができる。共通情報フィールド１３０８は、干渉がＡＧＰ内に存在するかどうかを示すことができる、干渉フィールドを搬送することができる（干渉の例は、ＯＢＳＳ干渉、および／または同じＢＳＳ内における空間共用送信からの干渉を含む）。例においては、ＡＰ／ＰＣＰが、ＯＢＳＳによるチャネル上においてＯＢＳＳ  ＡＰ／ＰＣＰによって送信された（ＳＰ／ＣＢＡＰ割り当てを搬送することができる）ＯＢＳＳビーコンまたはアナウンスメントフレームを検出した場合、ＡＰ／ＰＣＰは、干渉フィールドを設定することができる。ＣＢ／ＣＡが使用されるケースにおいては、各チャネル上における干渉状態を示すために、干渉フィールドを使用することができる。
【００９９】
共通情報フィールド１３０８は、空間共用動作が可能かどうかを示すことができる、空間共用フィールドを搬送することができる。空間共用は、チャネル情報フィールド内において示されたチャネル上において実行することができる。空間共用フィールドは、各チャネル上において空間共用が可能かどうかを示すことができる。空間共用は、１つのＢＳＳ内の、または異なるＢＳＳ内の、送信機および受信機の２つのペア間における送信を指すことができる（例えば、ＳＴＡ１およびＳＴＡ２は、ＳＰまたはＣＢＡＰを使用して通信することができ、一方、ＳＴＡ３およびＳＴＡ４は、同じタイムスロットを使用して通信することができ、ＳＴＡ１、ＳＴＡ２、ＳＴＡ３、およびＳＴＡ４は、１つまたは複数のＢＳＳに属する）。
【０１００】
共通情報フィールド１３０８は、ＭＩＭＯ送信が可能かどうかを示す、ＭＩＭＯフィールドを搬送することができる。ＭＩＭＯフィールドは、ＳＵ−ＭＩＭＯおよび／またはＭＵ−ＭＩＭＯが可能かどうかを示すためのサブフィールドを含むことができる。ＭＩＭＯ送信は、チャネル情報フィールド内において示されるチャネル上において実行することができ、ならびに／またはＭＩＭＯフィールドは、各チャネル上においてＭＩＭＯ（またはＳＵ−ＭＩＭＯおよびＭＵ−ＭＩＭＯ）が可能かどうかを示すことができる。
【０１０１】
共通情報フィールド１３０８は、ビームフォーミングトレーニングが可能かどうかを示すことができる、ビームフォーミングトレーニングフィールドを搬送することができる。ビームフォーミングトレーニングフィールドは、ビームフォーミングトレーニングフレームおよびフィードバックフレームのために専用される、またはそれらを含む、ＡＧＰにおけるＳＰ／ＣＢＡＰを示すことができる。ビームフォーミングトレーニングは、チャネル情報フィールド内において示されるチャネル上において実行することができ、またはビームフォーミングトレーニングフィールドは、各チャネル上においてビームフォーミングトレーニングが可能かどうかを示すことができる。ビームフォーミングトレーニングＳＰ／ＣＢＡＰは、多数のビームを使用してスイープすることができ、したがって、近隣送信により大きい干渉を導入することがある。ビームフォーミングトレーニングフィールドが設定されるケースにおいては、ＯＢＳＳ  ＡＰ／ＰＣＰおよびＳＴＡは、割り当てられたチャネル上において、干渉および／またはビームスイープを予想することができる。
【０１０２】
共通情報フィールド１３０８は、マルチユーザ送信が可能かどうかを示すことができる、マルチユーザフィールドを搬送することができる。
【０１０３】
ＡＧＰフィールド１３０６1の別のサブフィールドは、個別ＳＰ／ＣＢＡＰフィールド１３１０であることができ、各個別ＳＰ／ＣＢＡＰアロケーションのためのアロケーション情報フィールド１３１２1．．．１３１２mを搬送することができる（この例においては、ｍ個のＳＰ／ＣＢＡＰアロケーションが存在する）。例えば、個別ＳＰ／ＣＢＡＰフィールド１３１０は、それぞれのアロケーションフィールド１３１２1．．．１３１２m内のアロケーション毎に、以下の情報、すなわち、アロケーション開始情報、アロケーションブロック持続時間、アロケーションのためのブロックの数、アロケーションブロック周期、および／またはアロケーション持続時間のうちのいずれか１つまたは複数を搬送することができる。アロケーション情報フィールド１３１２1．．．１３１２mの詳細な例は、図１４に示されている。さらに、例えば、対応するＡＧＰが対応するフィールド上において異なる設定を可能にすることができるケースにおいては、共通情報フィールド１３０８内に含むことができるいくつかのフィールドを、個別ＳＰ／ＣＢＡＰ情報フィールド１３１０によって搬送することができる。
【０１０４】
図１４は、マルチチャネルアクセスおよび送信のためにＡＧＰを使用するグループアロケーションのための階層的シグナリング要素内に含むことができる、例示的なアロケーション情報フィールド１４００である。例示的なアロケーション情報フィールド１４００は、以下のフィールド、すなわち、ＳＰ／ＣＢＡＰアロケーションを識別するアロケーションＩＤフィールド１４０２、（共通フィールド内において示される特性(property)に依存することができる）１つもしくは複数の送信元アソシエーション識別子（ＡＩＤ）フィールド１４０４、（共通フィールド内において示される特性(property)に依存することができる）１つもしくは複数の送信先ＡＩＤフィールド１４０６、アロケーション開始時間フィールド１４１０、アロケーションブロック持続時間フィールド１４１２、ブロック数フィールド１４１４、および／またはアロケーションブロック周期フィールド１４１６のうちのいずれかを含むことができるが、それらを含むことに限定されない。例においては、各アロケーション情報フィールド１４００内に、１つの送信元ＡＩＤおよび１つの送信先ＡＩＤを含むことができる。ＭＵ−ＭＩＭＯ送信およびマルチチャネルマルチユーザ送信のケースにおいては、同じタイムスロットに対して、２つ以上のアロケーションを定義することができる。
【０１０５】
本明細書の開示による例示的な実施形態によれば、マルチチャネルアクセスおよび送信のために、後方互換アロケーションシグナリング方式を使用することができる。ＳＰ／ＣＢＡＰスケジューリング情報を搬送するために、拡張されたスケジュール情報要素（ＩＥ）を使用することができ、追加の情報を伝達するために、それを拡張することができる。（例えば、８０２．１１ａｄとの）後方互換性を維持するために、予約されたビット、および／または拡張されたスケジュールＩＥ内において十分に使用されていないビットを使用して、追加の情報を搬送することができる。このようにして、拡張されたスケジュールＩＥを使用して、限られた情報だけを搬送することができる。
【０１０６】
図１５は、マルチチャネル情報を含む、例示的な静的アロケーションシグナリング要素（またはフレーム）１５００である。静的アロケーションシグナリング要素１５００は、以下のフィールド、すなわち、要素ＩＤフィールド１５０２、長さフィールド１５０４、および／または各個別ＳＰ／ＣＢＡＰアロケーションのためのアロケーションフィールド１５０６1．．．１５０６n（この例においては、ｎ個のＳＰ／ＣＢＡＰアロケーションが存在する）のうちのいずれか１つまたは複数を含むことができるが、それらを含むことに限定されない。各アロケーションフィールド１５０６1．．．１５０６nは、以下のフィールド、すなわち、アロケーション制御フィールド１５１０、ビームフォーミング（ＢＦ）制御フィールド１５１２、送信元ＡＩＤフィールド１５１４、送信先ＡＩＤフィールド１５１６、アロケーション開始時間フィールド１５１８、アロケーションブロック持続時間フィールド１５２０、ブロック数フィールド１５２２、および／またはアロケーションブロック周期１５２４のうちのいずれか１つまたは複数を含むことができるが、それらを含むことに限定されない。アロケーション制御フィールド１５１０は、以下のフィールド、すなわち、アロケーションＩＤフィールド１５３０、アロケーションタイプフィールド１５３２、疑似静的フィールド１５３４、切り詰めインジケータフィールド１５３６、拡大可能インジケータフィールド１５３８、ＣＢＡＰもしくはＳＰの間に送信もしくは受信するためにＰＣＰが利用可能であることを示すことができるＰＣＰアクティブフィールド１５４０、低電力ＳＣモードが使用されることを示すために使用することができる低電力（ＬＰ）ＳＣインジケータフィールド１５４２（例えば、単一ビット）、および／または予約フィールド１５４４のうちのいずれか１つまたは複数を含むことができるが、それらを含むことに限定されない。
【０１０７】
例においては、レガシシステムにおいては十分に使用されないことがある、ＢＦ制御フィールド１５１２、アロケーションタイプフィールド１５３２、および／または予約フィールド１５４４のうちのいずれかは、限定することなく、以下のサブフィールド（図示されず）、すなわち、ＭＩＭＯフィールド、ＣＢ／ＣＡフィールド、マルチユーザフィールド、および／または空間共用フィールドを含む、より多くのマルチチャネル関連情報を搬送するために変更することができる。例えば、ＭＩＭＯフィールドは、ＭＩＭＯ送信が可能かどうかを示すことができる。ＭＩＭＯフィールドは、さらに、ＳＵ−ＭＩＭＯおよびＭＵ−ＭＩＭＯが可能かどうかを示すための２つのサブフィールドを含むことができる。ＭＩＭＯ送信は、チャネル情報フィールド内において示されるチャネル上において実行することができ、またはＭＩＭＯフィールドは、各チャネル上においてＭＩＭＯ（もしくはＳＵ−ＭＩＭＯおよびＭＵ−ＭＩＭＯ）が可能かどうかを示すことができる。ＣＢ／ＣＡフィールドは、チャネルボンディング／チャネルアグリゲーションが可能かどうかを示すことができ、マルチユーザフィールドは、マルチユーザ送信が可能かどうかを示すことができる。ＡＧＰが１つのアロケーションを含むことができるケースにおいては、単一のアロケーションについての情報を搬送するために、共通情報フィールドおよび個別ＳＰ／ＣＢＡＰ情報フィールドを一緒に使用することができる。
【０１０８】
空間共用フィールドは、空間共用動作が可能かどうかを示すことができる。空間共用は、ボンディング／アグリゲートされたチャネル上において実行することができる。空間共用フィールドは、各チャネル上において空間共用が可能かどうかを示すことができる。空間共用は、１つのＢＳＳ内の、または異なるＢＳＳ内の、送信機および受信機の２つのペア間における送信を指すことができる（例えば、ＳＴＡ１およびＳＴＡ２は、ＳＰまたはＣＢＡＰを使用して通信することができ、一方、ＳＴＡ３およびＳＴＡ４は、同じタイムスロットを使用して通信することができ、ＳＴＡ１、ＳＴＡ２、ＳＴＡ３、およびＳＴＡ４は、１つまたは複数のＢＳＳに属することができる）。
【０１０９】
本明細書の開示による別の例示的な実施形態によれば、マルチチャネルアクセスおよび送信のために、後方互換アロケーションシグナリング方式を使用することができる。スケジュールされたＳＰおよびＣＢＡＰの間に、チャネルアクセスをアロケートするために、動的アロケーション情報フィールドを使用することができる。例えば、動的アロケーション情報フィールドは、サービス期間要求（ＳＰＲ）フレーム、グラントフレーム、および／または他の任意のタイプの制御／管理フレーム内において搬送することができる。後方互換性を維持するために、動的アロケーション情報フィールドを搬送するフレームの終りに追加することができる制御トレーラ内において、マルチチャネルマルチユーザ情報、および／またはＭＩＭＯ情報を搬送することができる。
【０１１０】
図１６は、マルチチャネルマルチユーザ関連情報を搬送する、例示的な制御フレーム１６００である。制御フレーム１６００は、以下の要素（フィールド）、すなわち、Ｌ−ＳＴＦ１６０２、Ｌ−ＣＥＦ１６０４、Ｌ−ヘッダフィールド１６０６、ＭＡＣフレーム１６０８、および／またはトレーラ１６１０のうちのいずれか１つまたは複数を含むことができるが、それらを含むことに限定されない。８０２．１１のより旧いリリースと後方互換であることができるＭＡＣフレーム１６０８は、標準またはレガシＭＡＣ  ＩＥ（図示されず）に加えて、動的アロケーション情報フィールド１６１２を含むことができる。動的アロケーション情報フィールド１６１２は、以下のフィールド、すなわち、トラフィック識別子（ＴＩＤ）フィールド１６４０、アロケーションタイプフィールド１６４２、送信元ＡＩＤフィールド１６４４、送信先ＡＩＤフィールド１６４６、アロケーション持続時間フィールド１６４８、および／または予約フィールド１６５０のうちのいずれか１つまたは複数を含むことができるが、それらを含むことに限定されない。
【０１１１】
制御トレーラ１６１０は、アロケーションについてのより多くの情報を含むことができる。例えば、動的アロケーション情報フィールド１６１２内の予約フィールド１６５０のいくつかのビットは、より多くのアロケーション情報が制御トレーラ１６１０内において搬送されることを示すために使用することができる。制御トレーラフィールド１６１０は、以下のフィールド、すなわち、トレーラタイプフィールド１６２０、ＭＩＭＯフィールド１６２２、ＣＢ／ＣＡフィールド１６２４、マルチユーザフィールド１６２６、空間共用フィールド１６２８のうちのいずれか１つまたは複数を含むことができるが、それらを含むことに限定されない。トレーラタイプフィールド１６２０は、制御トレーラ１６１０のタイプを示すことができる。例えば、制御トレーラタイプは、ＲＴＳ／ＣＴＳ拡張、または動的アロケーション拡張であることができる。
【０１１２】
ＭＩＭＯフィールド１６２２は、ＭＩＭＯ送信が可能かどうかを示すことができる。ＭＩＭＯフィールド１６２２は、ＳＵ−ＭＩＭＯおよびＭＵ−ＭＩＭＯが可能かどうかを示すための２つのサブフィールド（図示されず）を含むことができる。ＭＩＭＯ送信は、チャネル情報フィールド（図示されず）内において示されたチャネル上において実行することができる。ＭＩＭＯフィールド１６２２は、各チャネル上においてＭＩＭＯ（またはＳＵ−ＭＩＭＯおよび／もしくはＭＵ−ＭＩＭＯ）が可能かどうかを示すことができる。ＣＢ／ＣＡフィールド１６２４は、チャネルボンディングおよび／またはチャネルアグリゲーションが可能かどうかを示すことができる。マルチユーザフィールド１６２６は、マルチユーザ送信が可能かどうかを示すことができる。空間共用フィールド１６２８は、空間共用動作が可能かどうかを示すことができる。空間共用は、ボンディング／アグリゲートされたチャネル上において実行することができる。空間共用フィールド１６２８は、各チャネル上において空間共用動作が可能かどうかを示すことができる。空間共用は、１つのＢＳＳ内の、または異なるＢＳＳ内の、送信機および受信機の２つのペア間における送信を指すことができる。
【０１１３】
本明細書の開示による別の例示的な実施形態によれば、多数のチャネル上においてＴｘ／Ｒｘビームペアをセットアップするために、マルチチャネル送信セットアップフレームを使用することができる。例においては、セットアップフレームは、以下の条件のうちの１つまたは複数が満たされるとき、すなわち、送信が、送信機および受信機が対応するＴｘ／Ｒｘビームを知ることができる（したがってセットアップを必要としないことができる）、プライマリチャネルおよび／もしくはボンディング／アグリゲートされたチャネル上においてトレーニングされたビームを使用する、シングルユーザシングルデータストリーム送信であるとき、ならびに／または送信が、デフォルトＴｘ／Ｒｘアンテナビームおよび／もしくはアナログビームを使用するとき、省略することができる。例においては、セットアップフレームは、以下の条件のうちの１つまたは複数が満たされるとき、すなわちマルチチャネル送信において、より多くのアナログビームを使用することができるとき、または例えばＰＣＰ／ＡＰが多数のユーザに同時に送信することができるケースにおいて、マルチチャネルマルチユーザ送信を実行することができるとき、使用することができる。
【０１１４】
図１７は、マルチチャネル（ＭＣ）セットアップフレーム１７０８を使用するＭＣ送信のための例示的なチャネルアクセス手順１７００のシグナリング図である。この例においては、ＡＰ／ＰＣＰ１７０３は、同じＢＳＳの一部であることができる、ＳＴＡ１７０４、１７０５と通信する。ＡＰ／ＰＣＰ１７０３は、例えば、ＳＰ／ＣＢＡＰ１７０７をスケジュールするために、スケジューリング情報を（例えば、プライマリチャネル１７０１上だけで送信される、または二重化モードを使用してすべてのチャネル１７０１、１７０２上において送信される）ビーコンフレーム１７０６内に含めることによって、マルチチャネル送信のために、１つまたは複数のＳＰおよび／またはＣＢＡＰをスケジュールすることができる。ＡＰ／ＰＣＰ１７０３は、ＭＣセットアップフレーム１７０８を送信するかどうかを決定することができる。送信される場合、ＭＣセットアップフレーム１７０８は、スケジュールされたＳＰ／ＣＢＡＰ１７０７（例えば、ＳＰ／ＣＢＡＰ１７０７内の最初の送信）内において、送信することができる。ＭＣセットアップフレーム１７０８が送信されるケースにおいては、ＭＣセットアップフレーム１７０８は、以下のフィールド（図示されず）、すなわち、フレーム１７０８がＭＣセットアップフレームであることを示すことができる、フレーム目的／タイプフィールド、マルチチャネルマルチユーザ送信のケースにおいて、受信アドレス（ＲＡ）フィールドによってブロードキャストもしくはマルチキャストアドレスを示すことができるような、１つもしくは複数のＲＡフィールド（例えば、マルチユーザ送信のケースのために、多数のＲＡフィールドを使用することができる）、および／またはユーザ固有の情報フィールドのいずれかを含むことができるが、それらを含むことに限定されない。
【０１１５】
ＭＣセットアップフレーム１７０８内におけるユーザ固有の情報フィールドは、以下のフィールド（図示されず）、すなわちＡＩＤフィールド、チャネル割り当てフィールド、アナログビーム割り当てフィールド、および／またはデジタル／ベースバンドプリコーディング方式フィールドのいずれかを含むことができるが、それらを含むことに限定されない。
【０１１６】
ＡＩＤフィールドは、ＳＴＡ（ユーザ）のＡＩＤまたは圧縮された／部分的なＡＩＤを示すことができる。チャネル割り当てフィールドは、ＳＴＡ（ユーザ）に割り当てられたチャネルを示すことができる。シグナリングのために、チャネルインデックスを使用することができ、および／または事前決定された順序で、ボンディング／アグリゲートされたチャネルに番号付けすることができ、番号付けは、シグナリングに含めることができる。例えば、中心周波数またはチャネルインデックスに基づいて、ボンディング／アグリゲートされたチャネルに、降順または昇順で番号付けすることができる。
【０１１７】
ユーザ固有の情報フィールドは、割り当てられたチャネル上においてアナログビームを一意的に定義するために使用することができる、例えばアンテナインデックス、偏波情報、および／またはビーム／セクタインデックスを含む、アナログビーム割り当てフィールドを含むことができる。２つ以上のチャネルがＳＴＡ（ユーザ）に割り当てられ、異なるビームを異なるチャネルに適用することができるケースにおいては、アナログビーム割り当ては、各チャネルについてのビーム／アンテナ／偏波などの情報を搬送することができる。
【０１１８】
デジタル／ベースバンドプリコーディング方式情報は、割り当てられたチャネル上における詳細なプリコーディング方式を指定するために使用することができる。２つ以上のチャネルがＳＴＡ（ユーザ）に割り当てられるケースにおいては、異なるプリコーディング方式が異なるチャネルに適用されることを可能にすることができ、デジタル／ベースバンドプリコーディング方式情報は、チャネル毎に適宜伝達することができる。
【０１１９】
ＭＣセットアップ手順を利用し、したがって、ＭＣセットアップフレーム１７０８を受信することができる、意図されたＳＴＡは、応答フレームをＡＰ／ＰＣＰ１７０３に送信することによって、ＭＣセットアップフレーム１７０８に応答することができる。例えば、２つ以上の応答フレーム１７１０は、異なる周波数チャネル１７３１、１７３２を使用して、ＳＴＡ１７０４によって同時に送信することができ、チャネル１７３１、１７３２は、ＭＣセットアップフレーム１７０８で、ＡＰ／ＰＣＰ１７０３によってＳＴＡ１７０４に割り当てることができる。同様に、ＳＴＡ１７０５は、チャネル１７４１、１７４２上において、応答フレーム１７１４を同時に送信することができ、チャネル１７４１、１７４２は、ＭＣセットアップフレーム１７０８で、ＡＰ／ＰＣＰ１７０３によってＳＴＡ１７０５に割り当てることができる。チャネルのいずれもプライマリチャネルまたはセカンダリチャネルであることができ、チャネルアグリゲーションおよび／またはチャネルボンディングを使用して、２つ以上のチャネルを組み合わせることができるように、ＳＴＡ１７０４によって使用されるチャネル１７３１、１７３２は、ＳＴＡ１７０５のために使用されるチャネル１７４１、１７４２と同じであることができ、または異なることができる。示されていない他の例においては、応答フレームは、異なる空間領域ビーム／重みを使用して同時に、または異なるタイムスロットで順次的に送信することができる。応答フレーム１７１０および／または１７１４は、ポーリングすること、またはスケジュールすることができ、ポーリングを用いるケースにおいては、最初の応答フレームは、ポーリングなしに送信することができる。応答フレームの送信は、準無指向性または指向性送信によって実行することができる。例においては、応答フレームは、オーバヘッド低減のために、送信されないこと、省略されることがある。
【０１２０】
ＭＣセットアップフレーム１７０８、ポーリングフレーム１７１２、１７２０、ＡＣＫ／ＢＡフレーム１７１８、１７２２は、制御フレームであり、プライマリチャネル、割り当てられたチャネル、またはチャネルボンディング／アグリゲーションを使用して組み合わされたチャネル上において送信することができる。ＡＰ／ＰＣＰ１７０３は、応答フレーム（例えば、応答フレーム１７１０および／または１７１４）を受信した後、ＭＵフレーム１７１６を送信することによって、ＭＣ送信を実行することができる。ＭＵフレーム１７１６は、データフレームであることができ、ＳＴＡ１７０４に割り当てられたチャネル（または組み合わせチャネル）上においてＳＴＡ１７０４に送信することができ、割り当てられたチャネル（または組み合わせチャネル）上においてＳＴＡ１７０５に送信することができる。ＡＰ／ＰＣＰ１７０３は、応答フレーム１７１０の受信後、ＭＣ送信を実行する前に、フレーム間隔（ｘＩＦＳ）時間持続時間だけ待つことができる。ＭＣ送信は、指向性であることができ、ＭＣセットアップフレーム１７０８によって設定されたビームおよびプリコーディング方式を使用する。応答フレームが省略されるケースにおいては、ＭＣ送信は、ＭＣセットアップフレーム１７０８の送信からｘＩＦＳ時間後に、実行することができる。応答フレームが省略されないケースにおいては、ＡＰ／ＰＣＰ１７０３は、応答フレーム１７１０、１７１４のすべてを検出するわけではないことができる。このケースにおいては、ＡＰ／ＰＣＰ１７０３は、それらからの応答フレーム１７１０、１７１４の検出に成功することができたＳＴＡ１７０４、１７０５に送信することができ、またはＡＰ／ＰＣＰ１７０３は、ＳＰ／ＣＢＡＰ１７０７を終了させるための制御フレーム（図示されず）を送信することができる。
【０１２１】
意図されたＳＴＡ１７０４、１７０５は、それぞれＡＣＫ／ＢＡフレーム１７１８、１７２２をＡＰ／ＰＣＰ１７０３に返信して、ＭＣ送信の受信に成功したことを知らせることができる。ＡＣＫ／ＢＡフレーム１７１８、１７２２は、指向性送信を使用して送信することができる。例においては、ＡＣＫ／ＢＡフレーム１７１８は、同時に異なる周波数チャネル１７３１、１７３２を使用して、ＳＴＡ１７０４によって送信することができ、チャネル１７３１、１７３２は、ＭＣセットアップフレーム１７０８で、ＡＰ／ＰＣＰ１７０３によって割り当てることができる。示されていない他の例においては、ＡＣＫ／ＢＡフレームは、異なる空間領域ビーム／重みを使用して同時に、または異なるタイムスロットで順次的に送信することができる。ＡＣＫ／ＢＡフレームは、ポーリングすること、またはスケジュールすることができ、ポーリングを用いるケースにおいては、最初のＡＣＫ／ＢＡフレームは、ポーリングなしに送信することができる。
【０１２２】
図１８は、ＡＰ／ＰＣＰによって実行される、ＳＰ／ＣＢＡＰをスケジュールするための例示的なマルチチャネルスケジューリング（アロケーション）手順１８００のフロー図である。１８０２において、ＡＰ／ＰＣＰは、少なくとも１つのＯＢＳＳと関連付けられた、少なくとも１つの他のＡＰ／ＰＣＰによって送信された、ビーコンフレームおよびアナウンスメントフレームについて監視することができる。監視されるビーコンフレームおよびアナウンスメントフレームは、ＯＢＳＳについてのＳＰ／ＣＢＡＰスケジューリング情報を含むことができる。１８０４において、ＡＰ／ＰＣＰは、ＯＢＳＳについてのＳＰスケジューリング情報を考慮して、ビーコン間隔内において使用される多数のチャネル上においてＳＰ／ＣＢＡＰ（１つまたは複数のＳＰ／ＣＢＡＰ）のアロケーションを生成することができる。１８０６において、ＡＰ／ＰＣＰは、ＳＰ／ＣＢＡＰアロケーションを含むビーコンフレーム（またはアナウンスメントフレーム）を、ＢＳＳ内のＳＴＡ（ＷＴＲＵ）に送信することができる。
【０１２３】
上では、特徴および要素が、特定の組み合わせで説明されたが、各特徴または要素は、単独で使用することができ、または他の特徴および要素との任意の組み合わせで使用することができることを、当業者は理解しよう。加えて、本明細書において説明される方法は、コンピュータまたはプロセッサによる実行のために、コンピュータ可読媒体内に含まれる、コンピュータプログラム、ソフトウェア、またはファームウェアで実施することができる。コンピュータ可読媒体の例は、（有線または無線接続上において送信される）電子信号、およびコンピュータ可読記憶媒体を含む。コンピュータ可読記憶媒体の例は、限定することなく、リードオンリメモリ（ＲＯＭ）、ランダムアクセスメモリ（ＲＡＭ）、レジスタ、キャッシュメモリ、半導体メモリデバイス、内臓ハードディスクおよびリムーバブルディスクなどの磁気媒体、光磁気媒体、ならびにＣＤ−ＲＯＭディスクおよびデジタル多用途ディスク（ＤＶＤ）などの光媒体を含む。ＷＴＲＵ、ＵＥ、端末、基地局、ＲＮＣ、または任意のホストコンピュータにおいて使用するための無線周波数送受信機を実施するために、ソフトウェアと連携するプロセッサを使用することができる。
【図１Ａ】
2019526989.tif 000003
【図１Ｂ】
2019526989.tif 000004
【図１Ｃ】
2019526989.tif 000005
【図１Ｄ】
2019526989.tif 000006
【図２】
2019526989.tif 000007
【図３】
2019526989.tif 000008
【図４】
2019526989.tif 000009
【図５】
2019526989.tif 000010
【図６】
2019526989.tif 000011
【図７】
2019526989.tif 000012
【図８】
2019526989.tif 000013
【図９】
2019526989.tif 000014
【図１０】
2019526989.tif 000015
【図１１】
2019526989.tif 000016
【図１２】
2019526989.tif 000017
【図１３】
2019526989.tif 000018
【図１４】
2019526989.tif 000019
【図１５】
2019526989.tif 000020
【図１６】
2019526989.tif 000021
【図１７】
2019526989.tif 000022
【図１８】
2019526989.tif 000023
【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
基本サービスセット（ＢＳＳ）の一部であり、前記ＢＳＳ内の少なくとも１つの無線送受信ユニット（ＷＴＲＵ）へのマルチチャネル（ＭＣ）アクセスを提供するように構成された、アクセスポイント（ＡＰ）であって、
少なくとも１つのオーバラッピング基本サービスセット（ＯＢＳＳ）と関連付けられた、少なくとも１つの他のアクセスポイント／パーソナル基本サービスセット（ＰＢＳＳ）制御ポイント（ＡＰ／ＰＣＰ）によって送信されるビーコンフレームについてモニタするように構成された受信機であって、前記ビーコンフレームは、少なくとも前記ＯＢＳＳについてのサービス期間（ＳＰ）スケジューリング情報を含んでいる、受信機と、
少なくとも２つのチャネル上において、ビーコン間隔内において使用される、前記ＢＳＳに関連付けられた少なくとも１つのＳＰのアロケーションを生成するように構成されたプロセッサであって、前記少なくとも２つのチャネル上における前記少なくとも１つのＳＰの前記アロケーションは、少なくとも部分的に、前記ＯＢＳＳについての前記ＳＰスケジューリング情報に基づいている、プロセッサと、
前記少なくとも１つのＷＴＲＵへビーコンフレームを送信するように構成された送信機であって、前記ビーコンフレームは、前記少なくとも２つのチャネル上における前記少なくとも１つのＳＰの前記アロケーションを含んでいる、送信機と
を備えたことを特徴とするＡＰ。
【請求項２】
前記ＯＢＳＳについての前記ＳＰスケジューリング情報が、第１のチャネルが前記ＯＢＳＳ内における送信によって干渉されていないことを示している条件で、前記少なくとも２つのチャネル上における前記少なくとも１つのＳＰの前記アロケーションは前記第１のチャネルを含むことを特徴とする請求項１に記載のＡＰ。
【請求項３】
前記ＯＢＳＳについての前記ＳＰスケジューリング情報が、第１のチャネルが少なくとも１つの時間ブロックにおいて、前記ＯＢＳＳ内における送信によって干渉されていることを示している条件で、前記少なくとも２つのチャネル上における前記少なくとも１つのＳＰの前記アロケーションは前記少なくとも１つの時間ブロックにおいて前記第１のチャネルを含まないことを特徴とする請求項１に記載のＡＰ。
【請求項４】
前記ＯＢＳＳについての前記ＳＰスケジューリング情報が、第１のチャネルが少なくとも１つの時間ブロックにおいて、前記ＯＢＳＳ内における送信のために使用されていることを示す条件で、前記少なくとも２つのチャネル上における前記少なくとも１つのＳＰの前記アロケーションは、前記第１のチャネルと、前記第１のチャネルが前記少なくとも１つの時間ブロックにおいて前記ＯＢＳＳ内において使用されていることの表示とを含むことを特徴とする請求項１に記載のＡＰ。
【請求項５】
前記少なくとも２つのチャネル上における前記少なくとも１つのＳＰの前記アロケーションは、前記アロケーションを切り詰めることができるかどうかを示すための切り詰めインジケータフィールド、前記アロケーションが拡大可能かどうかを示すための拡大可能インジケータフィールド、または前記アロケーションが動的かどうかを示すためのインジケータフィールドのうちの少なくとも１つをさらに含むことを特徴とする請求項１に記載のＡＰ。
【請求項６】
前記プロセッサは、少なくとも１つの共通の特性を有する複数のＳＰを第１のアロケーショングループ期間（ＡＧＰ）にグループ化するようにさらに構成され、前記少なくとも２つのチャネル上における前記少なくとも１つのＳＰの前記アロケーションは、前記第１のＡＧＰを含むことを特徴とする請求項１に記載のＡＰ。
【請求項７】
前記少なくとも１つの共通の特性は、共通のチャネルボンディング特性およびチャネルアグリゲーション（ＣＢ／ＣＡ）特性を含むことを特徴とする請求項６に記載のＡＰ。
【請求項８】
前記少なくとも２つのチャネル上における前記少なくとも１つのＳＰの前記アロケーションは、前記第１のＡＧＰの前記少なくとも１つの共通の特性を示している共通情報部を含むことを特徴とする請求項６に記載のＡＰ。
【請求項９】
前記共通情報部は、チャネルボンディング／チャネルアグリゲーション（ＣＢ／ＣＡ）情報、チャネルアロケーション情報、多入力多出力（ＭＩＭＯ）情報、空間共用情報、およびビームフォーミングトレーニング情報のうちの少なくとも１つをさらに示していることを特徴とする請求項８に記載のＡＰ。
【請求項１０】
前記少なくとも２つのチャネル上における前記少なくとも１つのＳＰの前記アロケーションは、前記複数のＳＰのうちの特定のＳＰの少なくとも１つの特定の特性を示している個別情報部を含むことを特徴とする請求項６に記載のＡＰ。
【請求項１１】
基本サービスセット（ＢＳＳ）の一部であるアクセスポイント（ＡＰ）によって、前記ＢＳＳ内の少なくとも１つの無線送受信ユニット（ＷＴＲＵ）へのマルチチャネル（ＭＣ）アクセスを提供するために実行される方法であって、
少なくとも１つのオーバラッピング基本サービスセット（ＯＢＳＳ）と関連付けられ、少なくとも１つの他のアクセスポイント／パーソナル基本サービスセット（ＰＢＳＳ）制御ポイント（ＡＰ／ＰＣＰ）によって送信されるビーコンフレームについてモニタするステップであって、前記ビーコンフレームは、少なくとも前記ＯＢＳＳについてのサービス期間（ＳＰ）スケジューリング情報を含んでいる、ステップと、
少なくとも２つのチャネル上において、ビーコン間隔内において使用される、前記ＢＢＳに関連付けられた少なくとも１つのＳＰのアロケーションを生成するステップであって、前記少なくとも２つのチャネル上における前記少なくとも１つのＳＰの前記アロケーションは、少なくとも部分的に、前記ＯＢＳＳについての前記ＳＰスケジューリング情報に基づいている、ステップと、
前記少なくとも１つのＷＴＲＵへビーコンフレームを送信するステップであって、前記ビーコンフレームは、前記少なくとも２つのチャネル上における前記少なくとも１つのＳＰの前記アロケーションを含んでいる、ステップと
を備えることを特徴とする方法。
【請求項１２】
前記ＯＢＳＳについての前記ＳＰスケジューリング情報が、第１のチャネルが前記ＯＢＳＳ内における送信によって干渉されないことを示している条件で、前記少なくとも２つのチャネル上における前記少なくとも１つのＳＰの前記アロケーションは、前記第１のチャネルを含むことを特徴とする請求項１１に記載の方法。
【請求項１３】
前記ＯＢＳＳについての前記ＳＰスケジューリング情報が、第１のチャネルが少なくとも１つの時間ブロックにおいて、前記ＯＢＳＳ内における送信によって干渉されることを示している条件で、前記少なくとも２つのチャネル上における前記少なくとも１つのＳＰの前記アロケーションは、前記少なくとも１つの時間ブロックにおいて、前記第１のチャネルを含まないことを特徴とする請求項１１に記載の方法。
【請求項１４】
前記ＯＢＳＳについての前記ＳＰスケジューリング情報が、第１のチャネルが少なくとも１つの時間ブロックにおいて、前記ＯＢＳＳ内における送信のために使用されていることを示している条件で、前記少なくとも２つのチャネル上における前記少なくとも１つのＳＰの前記アロケーションは、前記第１のチャネルと、前記第１のチャネルが前記少なくとも１つの時間ブロックにおいて前記ＯＢＳＳ内において使用されていることの表示とを含むことを特徴とする請求項１１に記載の方法。
【請求項１５】
前記少なくとも２つのチャネル上における前記少なくとも１つのＳＰの前記アロケーションは、前記アロケーションを切り詰めることができるかどうかを示すための切り詰めインジケータフィールド、前記アロケーションが拡大可能かどうかを示すための拡大可能インジケータフィールド、または前記アロケーションが動的かどうかを示すためのインジケータフィールドのうちの少なくとも１つをさらに含むことを特徴とする請求項１１に記載の方法。
【請求項１６】
少なくとも１つの共通の特性を有する複数のＳＰを第１のアロケーショングループ期間（ＡＧＰ）にグループ化するステップであって、前記少なくとも２つのチャネル上における前記少なくとも１つのＳＰの前記アロケーションは前記第１のＡＧＰを含んでいる、ステップ
をさらに備えることを特徴とする請求項１１に記載の方法。
【請求項１７】
前記少なくとも１つの共通の特性は、共通のチャネルボンディング特性およびチャネルアグリゲーション（ＣＢ／ＣＡ）特性を含むことを特徴とする請求項１６に記載の方法。
【請求項１８】
前記少なくとも２つのチャネル上における前記少なくとも１つのＳＰの前記アロケーションは、前記第１のＡＧＰの前記少なくとも１つの共通の特性を示している共通情報部を含むことを特徴とする請求項１６に記載の方法。
【請求項１９】
前記共通情報部は、チャネルボンディング／チャネルアグリゲーション（ＣＢ／ＣＡ）情報、チャネルアロケーション情報、多入力多出力（ＭＩＭＯ）情報、空間共用情報、およびビームフォーミングトレーニング情報のうちの少なくとも１つをさらに示していることを特徴とする請求項１８に記載の方法。
【請求項２０】
前記少なくとも２つのチャネル上における前記少なくとも１つのＳＰの前記アロケーションは、前記複数のＳＰのうちの特定のＳＰの少なくとも１つの特定の特性を示している個別情報部を含むことを特徴とする請求項１６に記載の方法。
【国際調査報告】
2019526989.tif 000024
2019526989.tif 000025